(57)【要約】【課題】コンテンツダウンロードサービスの様々な運用形態に対応するシステムを実現する。【解決手段】パターンｂの運用形態では、ユーザのダウンロード操作に応じてダウンロード制御メタファイルが取得され、当該ファイルに従いコンテンツが即時ダウンロードされ、コンテンツのダウンロードが完了した後にライセンスが要求される。この要求に対応して、ダミーのライセンスが供給される。ダウンロード済みコンテンツの再生時には、真のライセンスが未取得なので、DRMクライアントからDRMサーバに対して真のライセンスが要求され、この要求に応じて真のライセンスが供給されて、課金が実行される。本発明は、コンテンツダウンロードサービスに適用できる。【選択図】図１４
2008310809.tif 000002
【特許請求の範囲】
【請求項１】
ネットワーク介して接続されたコンテンツ受信装置にコンテンツを供給するコンテンツ供給装置において、
前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、
前記ダウンロード制御データに基づく前記コンテンツ受信装置からの要求に応じ、暗号化されたコンテンツを供給するコンテンツ供給手段と、
前記ダウンロード制御データに基づく前記コンテンツ受信装置からの要求に応じ、前記暗号化されたコンテンツを復号するための鍵を含む前記ライセンスを供給するとともに、
前記再生制御データに基づく前記コンテンツ受信装置からの要求に応じて前記ライセンスを供給するライセンス供給手段と
を含むコンテンツ供給装置。
【請求項２】
前記ダウンロード制御データに基づく前記コンテンツ受信装置からの前記ライセンスの要求に対応し、前記コンテンツ受信装置のユーザに対して課金または購入済みの権利数を削減する処理を実行する課金手段を
さらに含む請求項１に記載のコンテンツ供給装置。
【請求項３】
前記ダウンロード制御データに基づく前記コンテンツ受信装置からの前記ライセンスの要求に対応し、前記ライセンスに対応するコンテンツが前記コンテンツ受信装置によってダウンロードされたことを認識し、前記コンテンツ受信装置のユーザに対応付けてダウンロード済みのコンテンツを記憶する顧客管理手段を
さらに含む請求項１に記載のコンテンツ供給装置。
【請求項４】
前記ライセンス供給手段は、前記ダウンロード制御データに基づく前記コンテンツ受信装置からの要求に応じ、ダミーの前記ライセンスを供給するとともに、前記再生制御データに基づく前記コンテンツ受信装置からの要求に応じて真の前記ライセンスを供給する
請求項２に記載のコンテンツ供給装置。
【請求項５】
ネットワーク介して接続されたコンテンツ受信装置にコンテンツを供給するコンテンツ供給装置のコンテンツ供給方法において、
前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、暗号化されたコンテンツを供給し、
前記ダウンロード制御データに基づく前記コンテンツ受信装置からの要求に応じ、前記暗号化されたコンテンツを復号するための鍵を含む前記ライセンスを供給し、
前記再生制御データに基づく前記コンテンツ受信装置からの要求に応じて前記ライセンスを供給する
ステップを含むコンテンツ供給方法。
【請求項６】
ネットワーク介して接続されたコンテンツ受信装置にコンテンツを供給するコンテンツ供給装置の制御用のプログラムであって、
前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、暗号化されたコンテンツを供給し、
前記ダウンロード制御データに基づく前記コンテンツ受信装置からの要求に応じ、前記暗号化されたコンテンツを復号するための鍵を含む前記ライセンスを供給し、
前記再生制御データに基づく前記コンテンツ受信装置からの要求に応じて前記ライセンスを供給する
ステップを含む処理をコンピュータに実行させるプログラム。
【請求項７】
ネットワークを介して接続したコンテンツ供給装置からコンテンツを受信するコンテンツ受信装置において、
ユーザの操作を入力する操作入力手段と、
前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、
取得された前記ライセンスを用いて、前記暗号化されたコンテンツを復号、再生する再生手段と
を含むコンテンツ受信装置。
【請求項８】
前記取得手段は、前記暗号化されたコンテンツがダウンロードされたとき、前記ダウンロード制御データに基づいて、ダミーの前記ライセンスを前記コンテンツ供給装置から取得するとともに、ダウンロード済みの前記暗号化されたコンテンツを再生するとき、前記再生制御データに基づいて真の前記ライセンスを取得する
請求項７に記載のコンテンツ受信装置。
【請求項９】
前記取得手段は、前記ライセンスを取得することがユーザによって受諾された場合のみ、前記再生制御データに基づいて前記ライセンスを取得する
請求項７に記載のコンテンツ受信装置。
【請求項１０】
前記取得手段は、前記暗号化されたコンテンツがダウンロードされたとき、前記ダウンロード制御データに基づいて、真の前記ライセンスを前記コンテンツ供給装置から取得し、ダウンロード済みの前記暗号化されたコンテンツを再生するとき、前記再生制御データに基づいて取得済みの真の前記ライセンスを確認する
請求項７に記載のコンテンツ受信装置。
【請求項１１】
前記取得手段は、前記暗号化されたコンテンツがダウンロードされたとき、前記ダウンロード制御データに前記ライセンスを取得するための情報が含まれているときのみ、前記ライセンスを前記コンテンツ供給装置から取得する
請求項７に記載のコンテンツ受信装置。
【請求項１２】
ネットワークを介して接続したコンテンツ供給装置からコンテンツを受信するコンテンツ受信装置のコンテンツ受信方法において、
ユーザの操作を入力し、
前記ユーザの操作に対応し、コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツがダウンロードされたとき、前記ダウンロード制御データに基づいて、前記暗号化されたコンテンツを復号するための鍵を含むライセンスを前記コンテンツ供給装置から取得し、
ダウンロード済みの前記暗号化されたコンテンツを再生するとき、前記再生制御データに基づいて取得済みの前記ライセンスを確認し、確認結果に対応して前記ライセンスを再取得し、
取得された前記ライセンスを用いて、前記暗号化されたコンテンツを復号、再生する
ステップを含むコンテンツ受信方法。
【請求項１３】
ネットワークを介して接続したコンテンツ供給装置からコンテンツを受信するコンテンツ受信装置の制御用のプログラムであって、
ユーザの操作を入力し、
前記ユーザの操作に対応し、コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツがダウンロードされたとき、前記ダウンロード制御データに基づいて、前記暗号化されたコンテンツを復号するための鍵を含むライセンスを前記コンテンツ供給装置から取得し、
ダウンロード済みの前記暗号化されたコンテンツを再生するとき、前記再生制御データに基づいて取得済みの前記ライセンスを確認し、確認結果に対応して前記ライセンスを再取得し、
取得された前記ライセンスを用いて、前記暗号化されたコンテンツを復号、再生する
ステップを含む処理をコンピュータに実行させるプログラム。
【請求項１４】
コンテンツを供給するコンテンツ供給装置と、ネットワークを介して前記コンテンツ供給装置からコンテンツを受信するコンテンツ受信装置とからなるコンテンツダウンロードシステムにおいて、
前記コンテンツ受信装置は、
ユーザの操作を入力する操作入力手段と、
前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、
取得された前記ライセンスを用いて、前記暗号化されたコンテンツを復号、再生する再生手段とを含み、
前記コンテンツ供給装置は、
前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記ダウンロード制御データに基づく前記コンテンツ受信装置からの要求に応じ、前記暗号化されたコンテンツを復号するための鍵を含む前記ライセンスを供給するとともに、前記再生制御データに基づく前記コンテンツ受信装置からの要求に応じて前記ライセンスを供給するライセンス供給手段とを含む
コンテンツダウンロードシステム。
【請求項１５】
コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、
前記コンテンツ受信装置により、
ユーザの操作を入力し、
前記ユーザの操作に対応し、コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置に要求し、
前記コンテンツ供給装置により、
前記ダウンロード制御データに基づく前記コンテンツ受信装置からの要求に応じ、前記暗号化されたコンテンツと前記再生制御データを供給し、
前記コンテンツ受信装置により、
前記暗号化されたコンテンツがダウンロードされたとき、前記ダウンロード制御データに基づいて、前記暗号化されたコンテンツを復号するための鍵を含むライセンスを前記コンテンツ供給装置に要求し、
前記コンテンツ供給装置により、
前記ダウンロード制御データに基づく前記コンテンツ受信装置からの要求に応じ、前記ライセンスを前記コンテンツ供給装置に供給し、
前記コンテンツ受信装置により、
ダウンロード済みの前記暗号化されたコンテンツを再生するとき、前記再生制御データに基づいて取得済みの前記ライセンスを確認し、確認結果に対応して前記ライセンスを再要求し、
前記コンテンツ供給装置により、
前記再生制御データに基づく前記コンテンツ受信装置からの要求に応じ、前記ライセンスを前記コンテンツ供給装置に供給する
ステップを含むコンテンツダウンロード方法。
【請求項１６】
ネットワーク介して接続されたコンテンツ受信装置にコンテンツを供給するコンテンツ供給装置において、
前記コンテンツ受信装置からの要求に応じ、前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記コンテンツのダウンロードが完了したときに通知される、前記ダウンロード制御データに基づく前記コンテンツ受信装置からの要求に応じ、前記暗号化されたコンテンツを復号するための鍵を含む真ライセンス、または前記真ライセンスとは異なるダミーライセンスの少なくとも一方を供給するライセンス供給手段と、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定する判定手段と、
前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段と
を含むコンテンツ供給装置。
【請求項１７】
前記判定手段は、前記コンテンツ受信装置から通知される前記ユーザによる購入済みコンテンツの購入を取り消すキャンセル操作に応じ、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定する
請求項１６に記載のコンテンツ供給装置。
【請求項１８】
前記判定手段は、前記コンテンツ受信装置から通知される前記ユーザによる購入済みコンテンツの購入を取り消すキャンセル操作に応じ、前記コンテンツ受信装置の機種情報に基づいて前記課金キャンセルの可と判定した場合、さらに、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定する
請求項１７に記載のコンテンツ供給装置。
【請求項１９】
前記判定手段は、前記コンテンツ受信装置から通知される前記ユーザによる購入履歴情報取得操作に応じ、購入済みコンテンツにそれぞれ対応する前記真ライセンスと前記ダミーライセンスの供給状況に応じて、各購入済みコンテンツの課金キャンセルの可否を判定する
請求項１６乃至１８に記載のコンテンツ供給装置。
【請求項２０】
前記ライセンス供給手段は、ダウンロードされた前記コンテンツが再生されるときに通知される、前記再生制御データに基づく前記コンテンツ受信装置からの要求に応じ、前記真ライセンス供給する
請求項１６に記載のコンテンツ供給装置。
【請求項２１】
前記ダウンロード制御データに基づく前記コンテンツ受信装置からの要求に応じ、前記ダミーライセンスを供給した場合、前記コンテンツ受信装置において前記コンテンツのダウンロードが完了したと判断し、ダウンロード所要時間率、またはダウンロード成功率の少なくとも一方を算出する算出手段を
さらに含む請求項１６に記載のコンテンツ供給装置。
【請求項２２】
ネットワーク介して接続されたコンテンツ受信装置にコンテンツを供給するコンテンツ供給装置のコンテンツ供給方法において、
前記コンテンツ受信装置のユーザによるコンテンツを購入する購入操作に対応して前記コンテンツ受信装置の前記ユーザに課金を行い、
前記コンテンツ受信装置からの要求に応じ、前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、前記暗号化されたコンテンツを供給し、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、
課金キャンセル可と判定した場合のみ、前記コンテンツ受信装置の前記ユーザに対する課金をキャンセルする
ステップを含むコンテンツ供給方法。
【請求項２３】
ネットワーク介して接続されたコンテンツ受信装置にコンテンツを供給するコンテンツ供給装置の制御用のプログラムであって、
前記コンテンツ受信装置のユーザによるコンテンツを購入する購入操作に対応して前記コンテンツ受信装置の前記ユーザに課金を行い、
前記コンテンツ受信装置からの要求に応じ、前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、前記暗号化されたコンテンツを供給し、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、
課金キャンセル可と判定した場合のみ、前記コンテンツ受信装置の前記ユーザに対する課金をキャンセルする
ステップを含む処理をコンピュータに実行させるプログラム。
【請求項２４】
ネットワークを介して接続したコンテンツ供給装置からコンテンツを受信するコンテンツ受信装置において、
ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、
取得された前記真ライセンスを用いて、前記暗号化されたコンテンツを復号、再生する再生手段と、
前記ユーザから入力される購入済みコンテンツの購入を取り消すキャンセル操作に応じ、前記キャンセル操作を前記コンテンツ供給装置に通知する通知手段と
を含むコンテンツ受信装置。
【請求項２５】
前記通知手段は、さらに、前記ユーザから入力される購入済みコンテンツの購入を取り消すキャンセル操作に応じ、購入キャンセルの可否を判定する
請求項２４に記載のコンテンツ受信装置。
【請求項２６】
前記通知手段は、前記ユーザから入力される購入済みコンテンツの購入を取り消すキャンセル操作に応じ、対応するコンテンツのダウンロードが完了する前であって、且つ、前記コンテンツの再生が開始されていない場合のみ、購入キャンセル可と判定する
請求項２５に記載のコンテンツ受信装置。
【請求項２７】
前記通知手段は、前記ユーザから入力される購入履歴表示を指示する操作に応じ、各購入済みコンテンツに対して購入キャンセルの可否を判定する
請求項２５または２６に記載のコンテンツ受信装置。
【請求項２８】
ネットワークを介して接続したコンテンツ供給装置からコンテンツを受信するコンテンツ受信装置のコンテンツ受信方法において、
ユーザから入力される前記コンテンツを購入する購入操作に対応し、前記コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、
取得された前記真ライセンスを用いて、前記暗号化されたコンテンツを復号、再生し、
前記ユーザから入力される購入済みコンテンツの購入を取り消すキャンセル操作に応じ、前記キャンセル操作を前記コンテンツ供給装置に通知する
ステップを含むコンテンツ受信方法。
【請求項２９】
ネットワークを介して接続したコンテンツ供給装置からコンテンツを受信するコンテンツ受信装置の制御用のプログラムであって、
ユーザから入力される前記コンテンツを購入する購入操作に対応し、前記コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、
取得された前記真ライセンスを用いて、前記暗号化されたコンテンツを復号、再生し、
前記ユーザから入力される購入済みコンテンツの購入を取り消すキャンセル操作に応じ、前記キャンセル操作を前記コンテンツ供給装置に通知する
ステップを含む処理をコンピュータに実行させるプログラム。
【請求項３０】
コンテンツを供給するコンテンツ供給装置と、ネットワークを介して前記コンテンツ供給装置からコンテンツを受信するコンテンツ受信装置とからなるコンテンツダウンロードシステムにおいて、
前記コンテンツ受信装置は、
前記ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、
取得された前記真ライセンスを用いて、前記暗号化されたコンテンツを復号、再生する再生手段と、
前記ユーザから入力される購入済みコンテンツの購入を取り消すキャンセル操作に対応し、前記キャンセル操作を前記コンテンツ供給装置に通知する通知手段とを含み、
前記コンテンツ供給装置は、
前記コンテンツ受信装置からの要求に応じ、前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記ダウンロード制御データに基づく前記コンテンツ受信装置からの要求に応じ、前記真ライセンス、または前記ダミーライセンスの少なくとも一方を供給するライセンス供給手段と、
前記コンテンツ受信装置から通知される前記ユーザによる前記キャンセル操作に応じ、対応する前記真ライセンスと前記ダミーライセンスの供給状況に応じて、課金キャンセルの可否を判定する判定手段と、
前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段とを含む
コンテンツダウンロードシステム。
【請求項３１】
コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、
前記コンテンツ供給装置により、
前記コンテンツ受信装置のユーザがコンテンツを購入する購入操作に対応して前記コンテンツ受信装置の前記ユーザに課金を行い、
前記コンテンツ受信装置により、
前記ユーザの前記購入操作に対応し、前記コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、
前記ユーザから入力される購入済みコンテンツの購入を取り消すキャンセル操作に対応し、前記キャンセル操作を前記コンテンツ供給装置に通知し、
前記コンテンツ供給装置により、
前記コンテンツ受信装置から通知される前記ユーザによる前記キャンセル操作に応じ、対応する前記真ライセンスと前記ダミーライセンスの供給状況に応じて、課金キャンセルの可否を判定し、
課金キャンセル可と判定された場合のみ、前記コンテンツ受信装置の前記ユーザに対する課金をキャンセルする
ステップを含むコンテンツダウンロード方法。
【発明の詳細な説明】
【技術分野】
【０００１】
本発明は、コンテンツ供給装置およびコンテンツ供給方法、コンテンツ受信装置およびコンテンツ受信方法、プログラム、並びにコンテンツダウンロードシステムおよびコンテンツダウンロード方法に関し、特に、ダウンロードして蓄積しているコンテンツをユーザが任意のタイミングで利用できるコンテンツダウンロードサービスを実現する場合に用いて好適なコンテンツ供給装置およびコンテンツ供給方法、コンテンツ受信装置およびコンテンツ受信方法、プログラム、並びにコンテンツダウンロードシステムおよびコンテンツダウンロード方法に関する。
【背景技術】
【０００２】
インタネットに代表される高速データ通信ネットワークの普及に伴い、既に楽曲、映像、コンピュータプログラムなどの様々なコンテンツを商品とするコンテンツダウンロードサービスが存在する（例えば、特許文献１参照）。
【０００３】
しかしながら、既存のコンテンツダウンロードサービスはいずれもパーソナルコンピュータ向けのサービスであって、例えばテレビジョン受像機のように誰もが容易に利用できるものとは言い難い。
【０００４】
特に映像（対応する音声や字幕を含む）を商品としたコンテンツダウンロードサービスの場合、その本格的なサービスは実施されておらず、ほとんどが試験的なものであって、前払い固定料金で映像コンテンツを見放題とし、任意のタイミングでダウンロードを実行させる形態、プリペイド方式とし、映像コンテンツがダウンロードされる毎にプリペイド額の残高を減らす形態などのように基本的な運用形態だけが実現されているにすぎない。
【０００５】
【特許文献１】特開２０００−１１３０６６号公報
【発明の開示】
【発明が解決しようとする課題】
【０００６】
ところで、映像コンテンツを商品とするコンテンツダウンロードサービスを本格的に実施するに際しては、上述した基本的な運用形態のみならず、様々な運用形態が想定される。ここで運用形態とは、映像コンテンツの商品単位となるパッケージの構成、課金タイミング、ダウンロードタイミングの組み合わせを指すものとする。
【０００７】
また、ユーザにとっての利便性を考慮した場合、ダウンロードしつつも視聴しなかった映像コンテンツについては、それに対しての課金をキャンセルできる方法を設けておくことが望ましい。
【０００８】
本発明はこのような状況に鑑みてなされたものであり、コンテンツダウンロードサービスの様々な運用形態に対応できるシステムを実現するものである。
【課題を解決するための手段】
【０００９】
本発明の第１の側面であるコンテンツ供給装置は、ネットワーク介して接続されたコンテンツ受信装置にコンテンツを供給するコンテンツ供給装置において、前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、前記ダウンロード制御データに基づく前記コンテンツ受信装置からの要求に応じ、暗号化されたコンテンツを供給するコンテンツ供給手段と、前記ダウンロード制御データに基づく前記コンテンツ受信装置からの要求に応じ、前記暗号化されたコンテンツを復号するための鍵を含む前記ライセンスを供給するとともに、前記再生制御データに基づく前記コンテンツ受信装置からの要求に応じて前記ライセンスを供給するライセンス供給手段とを含む。
【００１０】
本発明の第１の側面であるコンテンツ供給装置は、前記ダウンロード制御データに基づく前記コンテンツ受信装置からの前記ライセンスの要求に対応し、前記コンテンツ受信装置のユーザに対して課金または購入済みの権利数を削減する処理を実行する課金手段を  さらに含むことができる。
【００１１】
本発明の第１の側面であるコンテンツ供給装置は、前記ダウンロード制御データに基づく前記コンテンツ受信装置からの前記ライセンスの要求に対応し、前記ライセンスに対応するコンテンツが前記コンテンツ受信装置によってダウンロードされたことを認識し、前記コンテンツ受信装置のユーザに対応付けてダウンロード済みのコンテンツを記憶する顧客管理手段をさらに含むことができる。
【００１２】
前記ライセンス供給手段は、前記ダウンロード制御データに基づく前記コンテンツ受信装置からの要求に応じ、ダミーの前記ライセンスを供給するとともに、前記再生制御データに基づく前記コンテンツ受信装置からの要求に応じて真の前記ライセンスを供給するようにすることができる。
【００１３】
本発明の第１の側面であるコンテンツ供給方法は、ネットワーク介して接続されたコンテンツ受信装置にコンテンツを供給するコンテンツ供給装置のコンテンツ供給方法において、前記コンテンツ受信装置がコンテンツをダウンロードするために必要なダウンロード制御データを前記コンテンツ受信装置に供給し、前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、前記ダウンロード制御データに基づく前記コンテンツ受信装置からの要求に応じ、暗号化されたコンテンツを供給し、前記ダウンロード制御データに基づく前記コンテンツ受信装置からの要求に応じ、前記暗号化されたコンテンツを復号するための鍵を含む前記ライセンスを供給し、前記再生制御データに基づく前記コンテンツ受信装置からの要求に応じて前記ライセンスを供給するステップを含む。
【００１４】
本発明の第１の側面であるプログラムは、ネットワーク介して接続されたコンテンツ受信装置にコンテンツを供給するコンテンツ供給装置の制御用のプログラムであって、前記コンテンツ受信装置がコンテンツをダウンロードするために必要なダウンロード制御データを前記コンテンツ受信装置に供給し、前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、前記ダウンロード制御データに基づく前記コンテンツ受信装置からの要求に応じ、暗号化されたコンテンツを供給し、前記ダウンロード制御データに基づく前記コンテンツ受信装置からの要求に応じ、前記暗号化されたコンテンツを復号するための鍵を含む前記ライセンスを供給し、前記再生制御データに基づく前記コンテンツ受信装置からの要求に応じて前記ライセンスを供給するステップを含む処理をコンピュータに実行させる。
【００１５】
本発明の第１の側面においては、コンテンツをダウンロードするために必要なダウンロード制御データがコンテンツ受信装置に供給され、ダウンロード制御データに基づくコンテンツ受信装置からの要求に応じ、ダウンロード済みのコンテンツを再生するために必要な再生制御データがコンテンツ受信装置に供給される。また、ダウンロード制御データに基づくコンテンツ受信装置からの要求に応じ、暗号化されたコンテンツが供給される。さらに、ダウンロード制御データに基づくコンテンツ受信装置からの要求に応じ、暗号化されたコンテンツを復号するための鍵を含むライセンスが供給され、再生制御データに基づくコンテンツ受信装置からの要求に応じてライセンスが供給される。
【００１６】
本発明の第２の側面であるコンテンツ受信装置は、ネットワークを介して接続したコンテンツ供給装置からコンテンツを受信するコンテンツ受信装置において、ユーザの操作を入力する操作入力手段と、前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、取得された前記ライセンスを用いて、前記暗号化されたコンテンツを復号、再生する再生手段とを含む。
【００１７】
前記取得手段は、前記暗号化されたコンテンツがダウンロードされたとき、前記ダウンロード制御データに基づいて、ダミーの前記ライセンスを前記コンテンツ供給装置から取得するとともに、ダウンロード済みの前記暗号化されたコンテンツを再生するとき、前記再生制御データに基づいて真の前記ライセンスを取得するようにすることができる。
【００１８】
前記取得手段は、前記ライセンスを取得することがユーザによって受諾された場合のみ、前記再生制御データに基づいて前記ライセンスを取得するようにすることができる。
【００１９】
前記取得手段は、前記暗号化されたコンテンツがダウンロードされたとき、前記ダウンロード制御データに基づいて、真の前記ライセンスを前記コンテンツ供給装置から取得し、ダウンロード済みの前記暗号化されたコンテンツを再生するとき、前記再生制御データに基づいて取得済みの真の前記ライセンスを確認するようにすることができる。
【００２０】
前記取得手段は、前記暗号化されたコンテンツがダウンロードされたとき、前記ダウンロード制御データに前記ライセンスを取得するための情報が含まれているときのみ、前記ライセンスを前記コンテンツ供給装置から取得するようにすることができる。
【００２１】
本発明の第２の側面であるコンテンツ受信装置は、ネットワークを介して接続したコンテンツ供給装置からコンテンツを受信するコンテンツ受信装置のコンテンツ受信方法において、ユーザの操作を入力し、前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードし、前記暗号化されたコンテンツがダウンロードされたとき、前記ダウンロード制御データに基づいて、前記暗号化されたコンテンツを復号するための鍵を含むライセンスを前記コンテンツ供給装置から取得し、ダウンロード済みの前記暗号化されたコンテンツを再生するとき、前記再生制御データに基づいて取得済みの前記ライセンスを確認し、確認結果に対応して前記ライセンスを再取得し、取得された前記ライセンスを用いて、前記暗号化されたコンテンツを復号、再生するステップを含む。
【００２２】
本発明の第２の側面であるプログラムは、ネットワークを介して接続したコンテンツ供給装置からコンテンツを受信するコンテンツ受信装置の制御用のプログラムであって、ユーザの操作を入力し、前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードし、前記暗号化されたコンテンツがダウンロードされたとき、前記ダウンロード制御データに基づいて、前記暗号化されたコンテンツを復号するための鍵を含むライセンスを前記コンテンツ供給装置から取得し、ダウンロード済みの前記暗号化されたコンテンツを再生するとき、前記再生制御データに基づいて取得済みの前記ライセンスを確認し、確認結果に対応して前記ライセンスを再取得し、取得された前記ライセンスを用いて、前記暗号化されたコンテンツを復号、再生するステップを含む処理をコンピュータに実行させる。
【００２３】
本発明の第２の側面においては、ユーザの操作に対応し、コンテンツをダウンロードするために必要なダウンロード制御データがコンテンツ供給装置から取得され、ダウンロード制御データに基づいて、暗号化されたコンテンツとコンテンツを再生するために必要な再生制御データがコンテンツ供給装置からダウンロードされる。そして、暗号化されたコンテンツがダウンロードされたとき、ダウンロード制御データに基づいて、暗号化されたコンテンツを復号するための鍵を含むライセンスがコンテンツ供給装置から取得され、さらに、ダウンロード済みの暗号化されたコンテンツを再生するとき、再生制御データに基づいて取得済みのライセンスが確認され、確認結果に対応してライセンスが再取得され、取得されたライセンスを用いて、暗号化されたコンテンツが復号、再生される。
【００２４】
本発明の第３の側面であるコンテンツダウンロードシステムは、コンテンツを供給するコンテンツ供給装置と、ネットワークを介して前記コンテンツ供給装置からコンテンツを受信するコンテンツ受信装置とからなるコンテンツダウンロードシステムにおいて、前記コンテンツ受信装置は、ユーザの操作を入力する操作入力手段と、前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、取得された前記ライセンスを用いて、前記暗号化されたコンテンツを復号、再生する再生手段とを含み、前記コンテンツ供給装置が、前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、前記ダウンロード制御データに基づく前記コンテンツ受信装置からの要求に応じ、前記暗号化されたコンテンツを供給するコンテンツ供給手段と、前記ダウンロード制御データに基づく前記コンテンツ受信装置からの要求に応じ、前記暗号化されたコンテンツを復号するための鍵を含む前記ライセンスを供給するとともに、前記再生制御データに基づく前記コンテンツ受信装置からの要求に応じて前記ライセンスを供給するライセンス供給手段とを含む。
【００２５】
本発明の第３の側面であるコンテンツダウンロード方法は、コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、前記コンテンツ受信装置により、ユーザの操作を入力し、前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置に要求し、前記コンテンツ供給装置により、前記ダウンロード制御データに基づく前記コンテンツ受信装置からの要求に応じ、前記暗号化されたコンテンツと前記再生制御データを供給し、前記コンテンツ受信装置により、前記暗号化されたコンテンツがダウンロードされたとき、前記ダウンロード制御データに基づいて、前記暗号化されたコンテンツを復号するための鍵を含むライセンスを前記コンテンツ供給装置に要求し、前記コンテンツ供給装置により、前記ダウンロード制御データに基づく前記コンテンツ受信装置からの要求に応じ、前記ライセンスを前記コンテンツ供給装置に供給し、前記コンテンツ受信装置により、ダウンロード済みの前記暗号化されたコンテンツを再生するとき、前記再生制御データに基づいて取得済みの前記ライセンスを確認し、確認結果に対応して前記ライセンスを再要求し、前記コンテンツ供給装置により、前記再生制御データに基づく前記コンテンツ受信装置からの要求に応じ、前記ライセンスを前記コンテンツ供給装置に供給するステップを含む。
【００２６】
本発明の第３の側面においては、コンテンツ受信装置により、ユーザの操作に対応し、コンテンツをダウンロードするために必要なダウンロード制御データがコンテンツ供給装置から取得され、ダウンロード制御データに基づいて、暗号化されたコンテンツとコンテンツを再生するために必要な再生制御データがコンテンツ供給装置に要求され、この要求に応じ、コンテンツ供給装置により、暗号化されたコンテンツと再生制御データが供給される。そして、コンテンツ受信装置により、暗号化されたコンテンツがダウンロードされたとき、ダウンロード制御データに基づいて、暗号化されたコンテンツを復号するための鍵を含むライセンスがコンテンツ供給装置に要求され、この要求に応じ、コンテンツ供給装置によりライセンスがコンテンツ供給装置に供給される。また、コンテンツ受信装置により、ダウンロード済みの暗号化されたコンテンツを再生するとき、再生制御データに基づいて取得済みのライセンスが確認され、確認結果に対応してライセンスが再要求され、この要求に応じ、コンテンツ供給装置からライセンスがコンテンツ供給装置に供給される。
【００２７】
本発明の第４の側面であるコンテンツ供給装置は、ネットワーク介して接続されたコンテンツ受信装置にコンテンツを供給するコンテンツ供給装置において、前記コンテンツ受信装置からの要求に応じ、前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、前記ダウンロード制御データに基づく前記コンテンツ受信装置からの要求に応じ、前記暗号化されたコンテンツを供給するコンテンツ供給手段と、前記コンテンツのダウンロードが完了したときに通知される、前記ダウンロード制御データに基づく前記コンテンツ受信装置からの要求に応じ、前記暗号化されたコンテンツを復号するための鍵を含む真ライセンス、または前記真ライセンスとは異なるダミーライセンスの少なくとも一方を供給するライセンス供給手段と、前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定する判定手段と、前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段とを含む。
【００２８】
前記判定手段は、前記コンテンツ受信装置から通知される前記ユーザによる購入済みコンテンツの購入を取り消すキャンセル操作に応じ、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定するようにすることができる。
【００２９】
前記判定手段は、前記コンテンツ受信装置から通知される前記ユーザによる購入済みコンテンツの購入を取り消すキャンセル操作に応じ、前記コンテンツ受信装置の機種情報に基づいて前記課金キャンセルの可と判定した場合、さらに、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定するようにすることができる。
【００３０】
前記判定手段は、前記コンテンツ受信装置から通知される前記ユーザによる購入履歴情報取得操作に応じ、購入済みコンテンツにそれぞれ対応する前記真ライセンスと前記ダミーライセンスの供給状況に応じて、各購入済みコンテンツの課金キャンセルの可否を判定するようにすることができる。
【００３１】
前記ライセンス供給手段は、ダウンロードされた前記コンテンツが再生されるときに通知される、前記再生制御データに基づく前記コンテンツ受信装置からの要求に応じ、前記真ライセンス供給するようにすることができる。
【００３２】
本発明の第４の側面であるコンテンツ供給装置は、前記ダウンロード制御データに基づく前記コンテンツ受信装置からの要求に応じ、前記ダミーライセンスを供給した場合、前記コンテンツ受信装置において前記コンテンツのダウンロードが完了したと判断し、ダウンロード所要時間率、またはダウンロード成功率の少なくとも一方を算出する算出手段をさらに含むことができる。
【００３３】
本発明の第４の側面であるコンテンツ供給方法は、ネットワーク介して接続されたコンテンツ受信装置にコンテンツを供給するコンテンツ供給装置のコンテンツ供給方法において、前記コンテンツ受信装置のユーザによるコンテンツを購入する購入操作に対応して前記コンテンツ受信装置の前記ユーザに課金を行い、前記コンテンツ受信装置からの要求に応じ、前記コンテンツ受信装置がコンテンツをダウンロードするために必要なダウンロード制御データを前記コンテンツ受信装置に供給し、前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、前記ダウンロード制御データに基づく前記コンテンツ受信装置からの要求に応じ、前記暗号化されたコンテンツを供給し、前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、課金キャンセル可と判定した場合のみ、前記コンテンツ受信装置の前記ユーザに対する課金をキャンセルするステップを含む。
【００３４】
本発明の第４の側面であるプログラムは、ネットワーク介して接続されたコンテンツ受信装置にコンテンツを供給するコンテンツ供給装置の制御用のプログラムであって、前記コンテンツ受信装置のユーザによるコンテンツを購入する購入操作に対応して前記コンテンツ受信装置の前記ユーザに課金を行い、前記コンテンツ受信装置からの要求に応じ、前記コンテンツ受信装置がコンテンツをダウンロードするために必要なダウンロード制御データを前記コンテンツ受信装置に供給し、前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、前記ダウンロード制御データに基づく前記コンテンツ受信装置からの要求に応じ、前記暗号化されたコンテンツを供給し、前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、課金キャンセル可と判定した場合のみ、前記コンテンツ受信装置の前記ユーザに対する課金をキャンセルするステップを含む処理をコンピュータに実行させる。
【００３５】
本発明の第４の側面においては、コンテンツ受信装置のユーザによるコンテンツを購入する購入操作に対応してユーザに課金が行われる。そして、コンテンツ受信装置からの要求に応じ、コンテンツ受信装置がコンテンツをダウンロードするために必要なダウンロード制御データがコンテンツ受信装置に供給され、ダウンロード制御データに基づくコンテンツ受信装置からの要求に応じ、コンテンツ受信装置がダウンロード済みのコンテンツを再生するために必要な再生制御データがコンテンツ受信装置に供給される。また、ダウンロード制御データに基づくコンテンツ受信装置からの要求に応じ、暗号化されたコンテンツが供給される。さらに、コンテンツ受信装置から通知されるユーザによる購入済みコンテンツの購入を取り消すキャンセル操作に応じ、対応する真ライセンスとダミーライセンスの供給状況に応じて、課金キャンセルの可否が判定され、課金キャンセル可と判定された場合のみ、コンテンツ受信装置のユーザに対する課金がキャンセルされる。
【００３６】
本発明の第５の側面であるコンテンツ受信装置は、ネットワークを介して接続したコンテンツ供給装置からコンテンツを受信するコンテンツ受信装置において、ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、取得された前記真ライセンスを用いて、前記暗号化されたコンテンツを復号、再生する再生手段と、前記ユーザから入力される購入済みコンテンツの購入を取り消すキャンセル操作に応じ、前記キャンセル操作を前記コンテンツ供給装置に通知する通知手段とを含む。
【００３７】
前記通知手段は、さらに、前記ユーザから入力される購入済みコンテンツの購入を取り消すキャンセル操作に応じ、購入キャンセルの可否を判定するようにすることができる。
【００３８】
前記通知手段は、前記ユーザから入力される購入済みコンテンツの購入を取り消すキャンセル操作に応じ、対応するコンテンツのダウンロードが完了する前であって、且つ、前記コンテンツの再生が開始されていない場合のみ、購入キャンセル可と判定するようにすることができる。
【００３９】
前記通知手段は、前記ユーザから入力される購入履歴表示を指示する操作に応じ、各購入済みコンテンツに対して購入キャンセルの可否を判定するようにすることができる。
【００４０】
本発明の第５の側面であるコンテンツ受信方法は、ネットワークを介して接続したコンテンツ供給装置からコンテンツを受信するコンテンツ受信装置のコンテンツ受信方法において、ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードし、前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、取得された前記真ライセンスを用いて、前記暗号化されたコンテンツを復号、再生し、前記ユーザから入力される購入済みコンテンツの購入を取り消すキャンセル操作に応じ、前記キャンセル操作を前記コンテンツ供給装置に通知するステップを含む。
【００４１】
本発明の第５の側面であるプログラムは、ネットワークを介して接続したコンテンツ供給装置からコンテンツを受信するコンテンツ受信装置の制御用のプログラムであって、
ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードし、前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、取得された前記真ライセンスを用いて、前記暗号化されたコンテンツを復号、再生し、前記ユーザから入力される購入済みコンテンツの購入を取り消すキャンセル操作に応じ、前記キャンセル操作を前記コンテンツ供給装置に通知するステップを含む処理をコンピュータに実行させる。
【００４２】
本発明の第５の側面においては、ユーザから入力されるコンテンツを購入する購入操作に対応し、コンテンツをダウンロードするために必要なダウンロード制御データがコンテンツ供給装置から取得され、ダウンロード制御データに基づいて、暗号化されたコンテンツとコンテンツを再生するために必要な再生制御データがコンテンツ供給装置からダウンロードされる。そして、暗号化されたコンテンツのダウンロードが完了したとき、ダウンロード制御データに基づいて、暗号化されたコンテンツを復号するための鍵を含む真ライセンス、または真ライセンスとは異なるダミーライセンスの少なくとも一方がコンテンツ供給装置から取得され、取得された真ライセンスを用いて、暗号化されたコンテンツが復号、再生され、ユーザから入力される購入済みコンテンツの購入を取り消すキャンセル操作に応じ、キャンセル操作がコンテンツ供給装置に通知される。
【００４３】
本発明の第６の側面であるコンテンツダウンロードシステムは、コンテンツを供給するコンテンツ供給装置と、ネットワークを介して前記コンテンツ供給装置からコンテンツを受信するコンテンツ受信装置とからなるコンテンツダウンロードシステムにおいて、前記コンテンツ受信装置が、前記ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、取得された前記真ライセンスを用いて、前記暗号化されたコンテンツを復号、再生する再生手段と、前記ユーザから入力される購入済みコンテンツの購入を取り消すキャンセル操作に対応し、前記キャンセル操作を前記コンテンツ供給装置に通知する通知手段とを含み、前記コンテンツ供給装置が、前記コンテンツ受信装置からの要求に応じ、前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、前記ダウンロード制御データに基づく前記コンテンツ受信装置からの要求に応じ、前記暗号化されたコンテンツを供給するコンテンツ供給手段と、前記ダウンロード制御データに基づく前記コンテンツ受信装置からの要求に応じ、前記真ライセンス、または前記ダミーライセンスの少なくとも一方を供給するライセンス供給手段と、前記コンテンツ受信装置から通知される前記ユーザによる前記キャンセル操作に応じ、対応する前記真ライセンスと前記ダミーライセンスの供給状況に応じて、課金キャンセルの可否を判定する判定手段と、前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段とを含む。
【００４４】
本発明の第６の側面であるコンテンツダウンロード方法は、コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、前記コンテンツ供給装置により、前記コンテンツ受信装置のユーザがコンテンツを購入する購入操作に対応して前記コンテンツ受信装置の前記ユーザに課金を行い、前記コンテンツ受信装置により、前記ユーザの前記購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードし、前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、前記ユーザから入力される購入済みコンテンツの購入を取り消すキャンセル操作に対応し、前記キャンセル操作を前記コンテンツ供給装置に通知し、前記コンテンツ供給装置により、前記コンテンツ受信装置から通知される前記ユーザによる前記キャンセル操作に応じ、対応する前記真ライセンスと前記ダミーライセンスの供給状況に応じて、課金キャンセルの可否を判定し、課金キャンセル可と判定された場合のみ、前記コンテンツ受信装置の前記ユーザに対する課金をキャンセルするステップを含む。
【００４５】
本発明の第６の側面においては、コンテンツ供給装置により、コンテンツ受信装置のユーザがコンテンツを購入する購入操作に対応してコンテンツ受信装置のユーザに課金が行われ、コンテンツ受信装置により、ユーザの購入操作に対応し、コンテンツをダウンロードするために必要なダウンロード制御データが記コンテンツ供給装置から取得され、ダウンロード制御データに基づいて、暗号化されたコンテンツとコンテンツを再生するために必要な再生制御データがコンテンツ供給装置からダウンロードされる。そして、暗号化されたコンテンツのダウンロードが完了したとき、ダウンロード制御データに基づいて、暗号化されたコンテンツを復号するための鍵を含む真ライセンス、または真ライセンスとは異なるダミーライセンスの少なくとも一方がコンテンツ供給装置から取得される。また、ユーザから入力される購入済みコンテンツの購入を取り消すキャンセル操作に対応し、キャンセル操作がコンテンツ供給装置に通知され、コンテンツ供給装置により、コンテンツ受信装置から通知されるユーザによるキャンセル操作に応じ、対応する真ライセンスとダミーライセンスの供給状況に応じて、課金キャンセルの可否が判定され、課金キャンセル可と判定された場合のみ、コンテンツ受信装置のユーザに対する課金がキャンセルされる。
【発明の効果】
【００４６】
本発明の第１の側面によれば、コンテンツダウンロードサービスの様々な運用形態に対応し、コンテンツを受信装置に供給することができる。
【００４７】
本発明の第２の側面によれば、コンテンツダウンロードサービスの様々な運用形態に対応してコンテンツをダウンロードし、利用することができる。
【００４８】
本発明の第３の側面によれば、コンテンツダウンロードサービスの様々な運用形態に対応可能なシステムを提供することができる。
【００４９】
本発明の第４の側面によれば、コンテンツダウンロードサービスの様々な運用形態に対応し、コンテンツを受信装置に供給することができる。また、ダウンロード前課金を前提として、所定の期間だけ受信装置のユーザに対する課金のキャンセルを許容することができる。
【００５０】
本発明の第５の側面によれば、コンテンツダウンロードサービスの様々な運用形態に対応してコンテンツをダウンロードし、利用することができる。また、ダウンロード前課金を前提として、所定の期間だけ課金をキャンセルさせることができる。
【００５１】
本発明の第６の側面によれば、コンテンツダウンロードサービスの様々な運用形態に対応可能なシステムを提供することができる。また、ダウンロード前課金を前提として、所定の期間だけ受信装置のユーザに対する課金のキャンセルを許容したシステムを提供することができる。
【発明を実施するための最良の形態】
【００５２】
以下、本発明を適用した具体的な実施の形態について、図面を参照しながら詳細に説明する。
【００５３】
図１は、本発明の一実施の形態であるコンテンツダウンロードシステムの基本概念を示している。
【００５４】
このコンテンツダウンロードシステム１は、コンテンツを視聴するユーザの自宅などに設置される受信装置１０と、ネットワーク２を介して接続される受信装置１０からの要求に応じ、コンテンツをダウンロードさせる供給装置２０から構成される。
【００５５】
なお、本実施の形態において、ダウンロードとは、受信装置１０がネットワーク２を介して供給装置２０からコンテンツなどの電子データを転送させて蓄積する処理を指すものとする。また、コンテンツとは、映像とそれに対応する音声を再生するためのＡＶデータ、それに対応する字幕データなどを含み暗号化されているものとする。
【００５６】
ネットワーク２は、インタネットに代表されるデータ通信網である。なお、コンテンツダウンロードシステム１においては、コンテンツをダウンロードして利用するので、その通信速度は高速であることが望ましいが必須ではない。
【００５７】
受信装置１０は、例えばテレビジョン受像機に内蔵されたり、テレビジョン受像機に外付けされたりするものを想定する。供給装置２０は、ネットワーク２上に設けられた複数のサーバ等によって構成される（詳細は図３を参照して後述する）。
【００５８】
コンテンツダウンロードシステム１によれば、図２に示すように、受信装置１０のユーザは、任意のコンテンツＡを供給装置２０からネットワーク２を介してダウンロードさせることができ、その後、受信装置１０に蓄積されているコンテンツＡを、許容されている利用期間内の任意のタイミングで再生させて視聴することができる。
【００５９】
次に、コンテンツダウンロードシステム１を構成する受信装置１０と供給装置２０の詳細な構成例について、図３を参照して説明する。
【００６０】
受信装置１０は、供給装置２０にアクセスしてHTML(Hypertext Markup Language)文書またはBML(Broadcast Markup Language)文書などを取得して対応するwebページを表示させるブラウザ１１、ブラウザ１１のヘルプアプリケーションとして供給装置２０からコンテンツやそのメタデータを転送させてストレージ１３に蓄積するダウンローダ１２、ハードディスクドライブなどからなるストレージ１３、ダウンロード済みのコンテンツのリストをユーザに提示するECG１４、ダウンロード済みのコンテンツを再生するＡＶプレイヤ１５、暗号化された状態のコンテンツを復号するために必要なコンテンツ鍵を含むライセンスを供給装置２０から取得するDRM(Digital Rights Management)クライアント１６、およびＡＶプレイヤ１５によって再生されたコンテンツを受信装置１０の外部に出力する外部出力部１７から構成される。
【００６１】
ブラウザ１１は、供給装置２０から取得するHTML文書、BML文書などに基づき、コンテンツダウンロードサービスの利用契約、パッケージ（コンテンツの商品単位）の購入、ダウンロードするコンテンツの選択、購入履歴の表示、課金キャンセルなどの操作をユーザがインタラクティブに実行できるWebページを表示させる。
【００６２】
ダウンローダ１２は、HTML文書、BML文書などに基づくブラウザ１１の制御に応じて起動され、コンテンツに対応するメタデータ（コンテンツ、コンテンツに対応するライセンス、およびコンテンツを再生するときに必要となる情報である再生制御メタファイル４１（図６）を転送させるための情報であるダウンロード制御メタファイル３１（図５）、再生制御メタファイル４１）と、暗号化された状態のコンテンツを供給装置から転送させてストレージ１３に蓄積させる。さらに、ダウンローダ１２は、ストレージ１３に蓄積させたコンテンツのリストをユーザに提示するための情報であるメタＤＢ（データベース）１３Ａをメタデータの再生制御メタファイル４１に基づいて生成し、ストレージ１３に蓄積させる。
【００６３】
ストレージ１３は、供給装置２０から転送されたコンテンツとそのメタデータを蓄積する。また、ダウンローダ１３によって生成されたメタＤＢ１３Ａを蓄積する。
【００６４】
ECG１４は、レジデントアプリケーションであり、ストレージ１３に保持されたメタＤＢ１３Ａに基づき、ダウンロード済みコンテンツの一覧をユーザに提示するとともに、ユーザに再生するコンテンツを選択させるインタラクティブなGUI(Graphical User Interface)であるローカルコンテンツリストをユーザに提供する。
【００６５】
ＡＶプレイヤ１５は、ECG１４によって起動され、ストレージ１３から再生すべきコンテンツを読み出し、DRMクライアント１６から供給されるコンテンツ鍵を用いて暗号化されているコンテンツを復号して再生し、その結果得られるＡＶデータに対応する映像をディスプレイに表示させ、音声をスピーカ（いずれも不図示）から出力させる。また、ＡＶプレイヤ１５は、再生結果として得られるＡＶデータを、DRMクライアント１６から供給されるRMPI（利用条件情報）にて許可されている場合だけ外部出力部１７にする。
【００６６】
なお、ECG１４により、ダウンロード中であって所定のデータ量がバッファリング済みのコンテンツもローカルコンテンツリストに含めてユーザに提供するようにし、ＡＶプレイヤ１５により、ダウンロード中のコンテンツであって所定のデータ量がバッファリング済みのコンテンツも再生するようにしてもよい（いわゆる、プログレッシブダウンロード、あるいはストリーミング再生を行うようにしてもよい）。
【００６７】
DRMクライアント１６は、供給装置２０のDRMサーバ２６との間にセキュアな通信路を確立した後、コンテンツ鍵を含むライセンスをDRMサーバ２６から取得し、取得したライセンスを自身で保持する。そして、ＡＶプレイヤ１５からの要求に応じ、ライセンスに記述されている利用条件を満たす場合にのみ、コンテンツ鍵をＡＶプレイヤ１５に供給する。
【００６８】
外部出力部１７は、ＡＶプレイヤ１５から供給されるＡＶデータを出力先（リムーバブルメディア、再生装置、記録装置など）の指定フォーマットに変換して出力する。
【００６９】
供給装置２０は、受信装置１０にインタラクティブなwebページを表示させるためのHTML文書、BML文書などを供給するWebサーバ２１、コンテンツダウンロードサービスの顧客に関する情報を管理する顧客管理サーバ２２、コンテンツダウンロードサービスの利用に際して決済を行う課金・決済サーバ２３、コンテンツに対応するメタデータを受信装置１０に転送するメタデータサーバ２４、コンテンツを受信装置１０に転送するコンテンツサーバ２５、および受信装置１０のDRMクライアント１６にライセンスを供給するDRMサーバ２６から構成される。
【００７０】
Webサーバ２１は、ブラウザ１１からの要求に応じ、各種Webページを表示させるためのHTML文書、BML文書などをブラウザ１１に供給する。顧客管理サーバ２２は、顧客（受信装置１０のユーザ）の顧客情報（例えば顧客ＩＤ、パスワード、決済用情報（銀行口座、クレジットカード番号等）、受信装置１０の機器ＩＤ、DRMクライアント１６のＩＤ(DRM ID)）に、各顧客が購入したパッケージ（商品単位）を示す購入履歴情報やダウンロードしたコンテンツを示すダウンロード履歴情報などを対応付けて管理する。
【００７１】
課金・決済サーバ２３は、顧客管理サーバ２２からの要請に応じ、顧客に対して課金・決済処理を行う。
【００７２】
なお、本明細書において、購入の用語には、契約の意味合いも含むものとする。すなわち、例えば顧客が月極め固定料金で任意の数だけコンテンツをダウンロードして利用できる条件のパッケージを契約した場合でも購入の用語を用いる。
【００７３】
また、課金の用語は、パッケージの購入に対応してクレジットカードなどの利用を確定する意味合いと、ユーザ側の口座などから実際に所定の金額を引き落とす意味合いを含むものとする。したがって、後述する課金キャンセルとは、パッケージの購入に対応してクレジットカードなどの利用を確定したものを取り消したり、ユーザ側の口座などから引き落とした金額を返金したりすることを意味するものとする。
【００７４】
メタデータサーバ２４は、パッケージ（コンテンツの商品単位）やコンテンツに関わる情報を管理し、他のサーバに必要な情報を提供するとともに、受信装置１０のダウンローダ１２からの要求に応じて、ダウンロード制御メタファイル３１および再生制御メタファイル４１からなるメタデータをダウンローダ１２に転送する。コンテンツサーバ２５は、受信装置１０のダウンローダ１２からの要求に応じて、コンテンツをダウンローダ１２に転送する。
【００７５】
DRMサーバ２６は、受信装置１０のDRMクライアント１６との間にセキュアな通信路を確立した後、暗号化されたコンテンツを復号するためのコンテンツ鍵を含むライセンスをDRMクライアント１６に供給する。
【００７６】
なお、供給装置２０を構成するWebサーバ２１乃至DRMサーバ２６は、ネットワーク２上に集中して配置されてもよいし、分散して配置されてもよい。また、Webサーバ２１乃至DRMサーバ２６のうち、いくつかを組み合わせて構成してもよい。
【００７７】
次に、供給装置２０から受信装置１０に転送されるコンテンツについて、図４を参照して説明する。
【００７８】
コンテンツを構成するＡＶデータは、供給装置２０のコンテンツサーバ２５において、所定の符号化方式（例えば、MPEG２方式）で圧縮符号化された後、字幕データなどとともにトランスポートストリーム（ＴＳ）化され、DRMサーバ２６にて生成されたコンテンツ鍵によりＴＳパケット単位で暗号化された状態で受信装置１０に転送されてストレージ１３に蓄積される。
【００７９】
一方、この暗号化された状態のコンテンツを復号するためのコンテンツ鍵は、コンテンツとは別途、供給装置２０のDRMサーバ２６から、RMPI（利用条件情報：コピー制御情報などを含む）とともにライセンスに含まれた状態で受信装置１０のDRMクライアント１６に供給される。
【００８０】
ストレージ１３に蓄積されたＴＳパケット単位で暗号化されているコンテンツは、ＡＶプレイヤ１５によりDRMクライアント１６から供給されるコンテンツ鍵によってその暗号が復号され、その結果得られたMPEG２ＴＳが復号（デコード）される。ただし、DRMクライアント１６からコンテンツ鍵が供給されるのは、ライセンスに記述されている利用条件（利用期間、再生回数など）を満たしている場合に限られる。
【００８１】
次に、受信装置１０が供給装置２０から取得するメタデータについて、図５および図６を参照して説明する。
【００８２】
図５は、コンテンツとそれに対応するライセンスと再生制御メタファイル４１をダウンロードするために必要なダウンロード制御メタファイル３１の記述例を示している。なお、ダウンロード制御メタファイル３１は、必ずしも１つのコンテンツに対応するものではなく、１つ以上のコンテンツからなるダウンロード単位に対応するものである。
【００８３】
ダウンロード制御メタファイル３１において、<dl_unit_name>には、コンテンツのダウンロード単位の名称が記述される。<dl_timing>には、ダウンロード単位に含まれるコンテンツのダウンロードタイミング（即時、予約、定期）が記述される。
【００８４】
なお、ダウンロード単位パッケージに複数のコンテンツが含まれる場合、以降の<criid>から<av_media>までの項目は、複数の各コンテンツに対応する分だけ記述される。
【００８５】
<criid>には、ダウンロード単位に含まれるコンテンツのＩＤが記述される。<size>には、コンテンツのデータサイズが記述される。<cpc_meta>には、コンテンツを再生するために必要な再生制御メタファイル４１の転送元のURI(Uniform Resource Identifier)が記述される。<av_media>には、コンテンツの転送元のURIが記述される。
【００８６】
<drm_server_uri>には、ダウンロード単位に対応するライセンスの取得先であるDRMサーバ２６のURIが記述される。<license_id>には、ダウンロード単位に対応するライセンスのＩＤが記述される。なお、ここに記述されるライセンスＩＤは、真のライセンス（暗号化されているコンテンツを復号できるライセンス。以下、真ライセンスとも称する）のＩＤではなく、ダミーのライセンス（暗号化されているコンテンツを復号できないライセンス。以下、ダミーライセンスとも称する）のＩＤを記述する場合がある（詳細後述）。
【００８７】
なお、ダウンロード制御メタファイル３１に、さらに、コンテンツのダウンロード完了に対応してライセンスを取得するか否かを示す情報を追加記述するようにして、当該情報にコンテンツのダウンロード完了に対応してライセンスを取得することが示されている場合のみ、コンテンツのダウンロード完了に対応してライセンスを取得するようにしてもよい。
【００８８】
ただし、当該情報に応じ、コンテンツのダウンロード完了に対応してライセンスを取得する処理を実行できる受信装置１０をダウンロード完了通知対応機種と称し、このダウンロード完了通知対応機種である受信装置１０を用いた場合にのみ、ユーザは課金キャンセル（図２３以降を用いて後述）を行なうことができるようになされている。
【００８９】
図６は、コンテンツを再生するために必要であって、各コンテンツにそれぞれ対応して存在する再生制御メタファイル４１の記述例を示している。
【００９０】
再生制御メタファイル４１において、<content_title>には、コンテンツの名称が記述される。<drm_server_uri>には、コンテンツに対応するライセンスの取得先であるDRMサーバ２６のURIが記述される。<license_id>には、コンテンツに対応するライセンスのＩＤが記述される。なお、ここに記述されるライセンスＩＤは、真ライセンスのＩＤである（詳細後述）。
【００９１】
次に、受信装置１０が供給装置２０からコンテンツなどをダウンロードする処理の概要について、図７を参照して説明する。
【００９２】
なお、ダウンロード処理の前提として、受信装置１０のユーザは、当該コンテンツダウンロードサービスの運営者側にサービス利用のための登録を済ませており、これにより、供給装置２０の顧客管理サーバ２２には、受信装置１０のユーザの情報が顧客情報として登録されており、さらに購入したパッケージを示す購入履歴情報やダウンロード済みコンテンツを示すダウンロード履歴情報が対応付けて管理されているものとする。
【００９３】
ユーザからの所定の操作に対応し、受信装置１０のブラウザ１１は、供給装置２０のWebサーバ２１にアクセスし、ダウンロード可能なコンテンツのリストなどからなるダウンロードナビゲーションページをユーザに提示する。このダウンロードナビゲーションページに対して、ユーザがコンテンツをそのダウンロード単位で選択する操作を行うと、ダウンローダ１２が起動される。
【００９４】
起動されたダウンローダ１２は、選択されたコンテンツのダウンロード単位に対応するダウンロード制御メタファイル３１をメタデータサーバ２４から取得する。なお、ここで取得するダウンロード制御メタファイル３１の取得元であるメタデータサーバ２４のURIは、ダウンロードナビゲーションページのHTML文書などに記述されている。
【００９５】
ダウンロード制御メタファイル３１を取得したダウンローダ１２は、ダウンロード制御メタファイル３１に記述されている内容に従い、メタデータサーバ２４から再生制御メタファイル４１を、コンテンツサーバ２５からコンテンツを転送させて、ストレージ１３に蓄積させる。さらに、ダウンローダ１２は、転送させた再生制御メタファイル４１に基づいてローカルコンテンツリスト生成のためのメタＤＢ１３Ａを生成して、ストレージ１３に蓄積させる。
【００９６】
さらに、ダウンローダ１２は、DRMクライアント１６にライセンスの取得を依頼する。この依頼に応じ、DRMクライアント１６は、ダウンローダ１２により取得されたダウンロード制御メタファイル３１に記述されている内容に従って、DRMサーバ２６にライセンスを要求して取得する。
【００９７】
以上で、ダウンロード処理の概要説明を終了する。
【００９８】
次に、ダウンロード処理のより詳細な動作について、図８のタイミングチャートおよび図９のフローチャートを参照して説明する。なお、図８においては図示の都合によりメタデータサーバ２４とコンテンツサーバ２５を一体化しており、以降の図面においても適宜同様の場合がある。図９は、ダウンロード処理のうち、特に受信装置１０のダウンローダ１２の処理について着目したものである。
【００９９】
ダウンロード処理の前提は、上述した概要説明と同様である。初めに、ステップＳ１１において、受信装置１０のブラウザ１１が供給装置２０のWebサーバ２１にアクセスし、ユーザ認証を実行した後、Webページを表示するためのHTML文書などを取得する。さらに、ブラウザ１１は、取得したHTML文書などに基づいてダウンロードナビゲーションページをユーザに提示する。このインタラクティブに操作可能なダウンロードナビゲーションページに対して、ユーザがコンテンツをダウンロード単位で選択する操作を行うと、ステップＳ１２において、ブラウザ１１は、ヘルプアプリケーションであるダウンローダ１２を起動させる。
【０１００】
起動されたダウンローダ１２は、ステップＳ１３において、ブラウザ１１から通知されるメタデータサーバ２４のURIに基づき、選択されたコンテンツのダウンロード単位に対応するダウンロード制御メタファイル３１をメタデータサーバ２４から取得し、ストレージ１３に蓄積させる（図９のステップＳ３１に相当する）。
【０１０１】
ステップＳ１４において、ダウンローダ１２は、取得したダウンロード制御メタファイル３１を解析し、ダウンロードタイミングを確認したり、ダウンロードするコンテンツのデータサイズを把握した上でストレージ１３の空き容量を確認したり、ストレージ１３にディレクトリを生成したりする処理を含む初期処理を実行する（図９のステップＳ３２乃至Ｓ３５に相当する）。
【０１０２】
ステップＳ１５において、ダウンローダ１２は、ダウンロード制御メタファイル３１に記述されているメタデータサーバ２４のURIに基づきメタデータサーバ２４にアクセスして、選択されたダウンロード単位に含まれる全てのコンテンツにそれぞれ対応する再生制御メタファイル４１を取得し、ステップＳ１６において、メタＤＢ１３Ａを生成して再生制御メタファイル４１とともにストレージ１３に蓄積させる（図９のステップＳ３６に相当する）。
【０１０３】
ステップＳ１７において、ダウンローダ１２は、ダウンロード制御メタファイル３１に記述されているコンテンツサーバ２５のURIとコンテンツＩＤに基づき、コンテンツサーバ２５にアクセスして、選択されたダウンロード単位に含まれるコンテンツの転送を要求する。この要求に対応し、ステップＳ１８において、コンテンツサーバ２５は、要求されたコンテンツの転送を開始し、ダウンローダ１２は、転送されたコンテンツをストレージ１３に蓄積させる（図９のステップＳ３７に相当する）。
【０１０４】
この転送の間、ステップＳ１９として、ダウンローダ１２は、通信障害などによって転送が中断された場合にも、通信障害復旧後に転送が中断した状態から転送を再開する処理を実行する。
【０１０５】
そして、選択されたダウンロード単位に含まれる全てのコンテンツのダウンロードが終了した後、ステップＳ２０において、ダウンローダ１２は、DRMクライアント１６にライセンスの取得を要求する（図９のステップＳ３８およびＳ３９に相当する）。DRMクライアント１６は、ダウンロード制御メタファイル３１に記述されているDRMサーバ２６のURIとライセンスＩＤに基づき、DRMサーバ２６にアクセスし、DRM IDの通知などを含む認証処理を経た後にライセンスを取得し、取得したライセンスを自己で保持するとともにライセンスを取得したことをダウンローダ１２に通知する。なお、ここで取得したライセンスは、ダウンロード制御メタファイル３１に記述されているライセンスＩＤに対応するものであり、真ライセンスである場合もあるし、ダミーライセンスである場合もある。
【０１０６】
一方、DRMサーバ２６は、ステップＳ２１において、DRMクライアント１６からライセンスが要求されたことを顧客管理サーバ２２に通知する。顧客管理サーバ２２は、DRMサーバ２６からの当該通知を受け取ったことを根拠として、受信装置１０側でコンテンツのダウンロードが完了したことを確認し、課金・決済サーバ２３に対して顧客に対する課金・決済を実行させる（ただし、例えば、前払い固定料金などのダウンロード前に課金を行う運用形態の場合、課金・決済は既に完了しているので、ここで課金・決済は実行されない）。
【０１０７】
また、顧客管理サーバ２２は、受信装置１０のユーザに対応する顧客情報のダウンロード履歴情報に、ダウンロード済みとなったコンテンツを示す情報を追加する。ここで追加された情報は、顧客毎にカスタマイズされるダウンロードナビゲーションページに反映される。したがって、これ以降、顧客は自己が既にダウンロードしたコンテンツをダウンロードナビゲーションページにおいて確認することができる。なお、コンテンツのダウンロードが完了し、これが供給装置２０側で認識された旨を受信装置１０に伝達し、受信装置１０のユーザに対して通知するようにしてもよい。
【０１０８】
以上で、ダウンロード処理の詳細な動作説明を終了する。以上説明したように、ダウンロード処理により受信装置１０のストレージ１３には、コンテンツとそれに対応する再生制御メタファイル４１が蓄積され、DRMクライアント１６には、ストレージに蓄積されたコンテンツに対応するライセンスが保持されることになる。
【０１０９】
次に、受信装置１０にダウンロードされたコンテンツを再生する処理の概要について、図１０を参照して説明する。
【０１１０】
ユーザからの所定の操作に対応し、ECG１４は、ストレージ１３に保持されているメタＤＢ１３Ａに基づき、ローカルコンテンツリストを生成してユーザに提示する。提示されたローカルコンテンツリストに対し、ユーザがコンテンツを選択して再生を指示すると、ECG１４によってＡＶプレイヤ１５が起動され、起動されたＡＶプレイヤ１５に対して再生が指示されたコンテンツを示す情報がECG１４から通知される。
【０１１１】
この通知に対応し、ＡＶプレイヤ１５は、当該コンテンツに対応する再生制御メタファイル４１をストレージ１３から読み出して解析し、当該コンテンツに対応するライセンスのライセンスＩＤを抽出して、当該ライセンスＩＤに対応するライセンス（真ライセンス）が既にDRMクライアント１６に保持されているか否かを確認する。
【０１１２】
ここで、当該ライセンスＩＤに対応するライセンスがDRMクライアント１６に保持されていない場合、すなわち、DRMクライアント１６に保持されているライセンスがダミーライセンスである場合、ユーザから課金などの承諾が得られた後、DRMクライアント１６は、再生制御メタファイル４１に記述されているDRMサーバ２６のURIに基づいてDRMサーバ２６にアクセスし、再生制御メタファイル４１に記述されているライセンスＩＤのライセンス（真ライセンス）を取得し、その中に含まれるコンテンツ鍵をＡＶプレイヤ１５に供給する。
【０１１３】
この後、ＡＶプレイヤ１５は、当該コンテンツをストレージ１３から読み出し、DRMクライアント１６から供給されたコンテンツ鍵を用いてコンテンツの暗号を復号し、その結果得られる符号化データをデコードしてＡＶデータを得、対応する映像を表示して音声を出力する。
【０１１４】
なお、真ライセンスには、利用期間と再生回数に制限を設けることができる。再生回数に制限を設けた場合、再生する度に再生可能な残り回数が減少することをユーザに通知するようにする。また、再生可能な残り回数が０になったときには、ユーザの承諾が得られた後、再度課金して新たに真ライセンスを供給するようにする。
【０１１５】
以上で、再生処理の概要説明を終了する。
【０１１６】
次に、再生処理のより詳細な動作について、図１１のタイミングチャートおよび図１２のフローチャートを参照して説明する。なお、図１２は、再生処理のうち、特にＡＶプレイヤ１５の処理について着目したものである。
【０１１７】
ユーザからの所定の操作に対応し、ステップＳ８１において、ECG１４は、ストレージ１３からメタＤＢ１３Ａを読み出し、ステップＳ８２において、読み出したメタＤＢ１３Ａに基づいてGUIであるローカルコンテンツリストを生成してユーザに提示する。
【０１１８】
このローカルコンテンツリストに対し、ユーザがコンテンツを選択して再生を指示すると、ステップＳ８３において、ECG１４は、ＡＶプレイヤ１５を起動し、起動したＡＶプレイヤ１５に対して再生が指示されたコンテンツを示す情報を通知する。
【０１１９】
ステップＳ８４において、ＡＶプレイヤ１５は、当該コンテンツに対応する再生制御メタファイル４１をストレージ１３から読み出し、ステップＳ８５において、再生制御メタファイル４１を解析して、当該コンテンツに対応するライセンスのライセンスＩＤを抽出する（図１２のステップＳ９１に相当）。
【０１２０】
さらに、ＡＶプレイヤ１５は、ステップＳ８６において、当該ライセンスＩＤに対応するライセンス（真ライセンス）が既にDRMクライアント１６に保持されているか否かを確認する（図１２のステップＳ９２に相当）。ここで、当該ライセンスＩＤに対応するライセンスがDRMクライアント１６に保持されていない場合、すなわち、DRMクライアント１６に保持されているライセンスがダミーライセンスである場合、DRMクライアント１６は、再生制御メタファイル４１に記述されているDRMサーバ２６のURIに基づいてDRMサーバ２６にアクセスし、再生制御メタファイル４１に記述されているライセンスＩＤのライセンス（真ライセンス）を取得し、その中に含まれる利用条件を満たしていると判断した後にコンテンツ鍵をＡＶプレイヤ１５に供給する（図１２のステップＳ９４に相当）。
【０１２１】
なお、上述したダウンロード処理のように、１回目のライセンス取得の際に課金・決済を行うのではなく、コンテンツの再生に際して真ライセンスを取得するときに課金・決済を行うようにする運用形態も考えられる。この場合、真ライセンスを取得するに先立ち、ユーザに対して、例えば「視聴しますか？ＯＫボタンを押すと課金されます」などと課金・決済に対してユーザの了解を確認するようにする（図１２のステップＳ９３に相当）。
【０１２２】
コンテンツ鍵を取得したＡＶプレイヤ１５は、ステップＳ８７において、ストレージ１３に当該コンテンツの読み出しを指示し、ステップＳ８８において、この指示に応じてストレージ１３から供給されるコンテンツを再生する（コンテンツの暗号を復号し、その結果得られる符号化データをデコードしてＡＶデータを得、対応する映像を表示して音声を出力する）（図１２のステップＳ９５に相当）。
【０１２３】
なお、コンテンツの再生に際してＡＶプレイヤ１５はユーザの制御下となり各種の操作（早送り再生、早戻し再生など、頭だし再生などのトリックプレイ操作）が可能となる。
【０１２４】
そして、コンテンツの再生が終了した後、ステップＳ８９において、ＡＶプレイヤ１５は、自身からコンテンツ鍵を消去するとともに、ユーザの制御下からECG１４の制御下に戻る処理を含む終了処理を実行する。
【０１２５】
以上で、ダウンロード済みコンテンツの再生処理の説明を終了する。以上説明した再生処理によれば、コンテンツの再生に際して真ライセンスがDRMクライアント１６に取得されているか否か確認され、取得されていない場合、改めて真ライセンスがDRMサーバ２６から取得される。すなわち、コンテンツのダウンロード段階から通算して２回、ライセンスか取得されることになる。
【０１２６】
次に、本発明を適用したコンテンツダウンロードシステム１を利用して実現可能なダウンロードサービスの運用形態について説明する。運用形態とは、コンテンツの商品単位となるパッケージの構成、課金タイミング、ダウンロードタイミングの組み合わせを指す。
【０１２７】
パッケージの構成の種類としては、単品、パック、見放題、およびセレクトの４種類を想定する。
【０１２８】
単品は、１つのコンテンツだけで構成されるパッケージである。パックとは、例えばシリーズものの映画のコンテンツを一括して購入し視聴できるものであり、有限の複数のコンテンツで構成されるパッケージである。見放題とは、例えば、洋画という範囲に属する映画のコンテンツをいくつでも視聴できるものであり、予め定められた範囲に属する不特定複数のコンテンツで構成されるパッケージである。なお、見放題のパッケージを構成するコンテンツは適宜変わる可能性がある。セレクトとは、例えば、邦画という範囲に属する映画のコンテンツのうち、１ヶ月に１０作品だけを選択して視聴できるようなものであり、予め定められた範囲に属する不特定複数のコンテンツのうち、所定の期間に所定の数だけ視聴できるパッケージである。なお、セレクトのパッケージを構成するコンテンツは適宜変わる可能性がある。
【０１２９】
課金タイミングの種類としては、ダウンロード前課金、ダウンロード後課金、および再生時課金の３種類を想定する。
【０１３０】
ダウンロード前課金とは、コンテンツをダウンロードする前に課金が確定されるものである。なお、ダウンロード前課金が採用された場合には、ユーザの利便性を考慮して、コンテンツのダウンロードが完了する前であって、且つ、コンテンツの再生が開始されていない（ストリーミング再生が行なわれていない）期間に限り、課金をキャンセルさせることができるようになされている（詳細後述）。
【０１３１】
ダウンロード後課金とは、コンテンツのダウンロードが終了した後に課金が確定されるものである。再生時課金とは、コンテンツをダウンロードし、さらに再生した時に課金が確定するものである。
【０１３２】
ダウンロードタイミングの種類としては、逐次ダウンロード、予約ダウンロード、および更新ダウンロードの３種類を想定する。
【０１３３】
逐次ダウンロードとは、コンテンツを選択してダウンロードを指示するユーザの操作に即応し、直ちにダウンロードを開始するものである。予約ダウンロードとは、コンテンツを選択してダウンロードを指示するユーザの操作をトリガとしてダウンロードの予約が行われ、ダウンロード制御メタファイル３１に記述されたダウンロード日時にダウンロードを開始するものである。更新ダウンロードとは、コンテンツを選択してダウンロードを指示するユーザの２回目以降の操作を必要とせず、ダウンロード制御メタファイル３１に記述されたダウンロード周期で、次のコンテンツ（未ダウンロードのコンテンツ）がダウンロード可能であるか否かを確認し、ダウンロード可能であればダウンロードを開始するものである。
【０１３４】
以上説明したように、パッケージの構成は４種類、課金タイミングは３種類、ダウンロードタイミングは３種類であり、運用形態となるこれらの組み合わせ数は３６（＝４×３×３）通りとなる。その３６通りの運用形態のうち、以下のパターンａ乃至ｊの１０通りの運用形態について説明する。
【０１３５】
パターンａ：単品・ダウンロード後課金・逐次
パターンｂ：単品・再生時課金・逐次
パターンｃ：単品・ダウンロード後課金・予約
パターンｄ：単品・再生時課金・更新
パターンｅ：パック・ダウンロード後課金・逐次
パターンｆ：パック・ダウンロード前課金・更新
パターンｇ：見放題・ダウンロード前課金・逐次
パターンｈ：見放題・ダウンロード前課金・更新
パターンｉ：セレクト・ダウンロード前課金・逐次
パターンｊ：セレクト・ダウンロード前課金・更新
【０１３６】
図１３は、パターンａの運用形態に対応した処理シーケンスを示している。パターンａでは、ユーザの購入操作に応じてダウンロード制御メタファイル３１が取得され、ダウンロード制御メタファイル３１に従い、再生制御メタファイル４１が取得されるとともに、コンテンツが即時ダウンロードされ、コンテンツのダウンロードが完了した後にライセンスが要求される。この要求に対応して、真ライセンスが受信装置１０に供給され、課金が実行される。この段階で、顧客管理サーバ２２は、受信装置１０にダウンロード済みとなったコンテンツを把握することができる。よってこれ以降、ダウンロードナビゲーションページには、ダウンロード済の情報が反映される。これにより、ユーザが同じコンテンツに対して重複してダウンロードを指示してしまうことを抑止することができる。ダウンロード済みコンテンツの再生時には、DRMクライアント１６内でライセンスの確認のみが実行される。
【０１３７】
図１４は、パターンｂの運用形態に対応した処理シーケンスを示している。パターンｂでは、ユーザのダウンロード操作に応じてダウンロード制御メタファイル３１が取得され、ダウンロード制御メタファイル３１に従い、再生制御メタファイル４１が取得されるとともに、コンテンツが即時ダウンロードされ、コンテンツのダウンロードが完了した後にライセンスが要求される。この要求に対応して、ダミーライセンスが受信装置１０に供給される。この段階で、顧客管理サーバ２２は、受信装置１０にダウンロード済みとなったコンテンツを把握することができる。よってこれ以降、ダウンロードナビゲーションページには、ダウンロード済の情報が反映される。
【０１３８】
このダウンロード済みコンテンツの再生時には、真ライセンスが未取得なので、DRMクライアント１６からDRMサーバ２６に対して真ライセンスが要求されるが、この要求に先立ち、「視聴しますか？ＯＫボタンを押すと課金されます」等のメッセージによりユーザに課金の承諾が求められる。そしてユーザが承諾（購入操作）した後、真ライセンスが要求され、この要求に応じて、受信装置１０に真ライセンスが供給されて、課金が実行される。なお、ユーザが課金に応じなかった場合には、ECG１４によるローカルコンテンツリストの表示に戻るようにする。
【０１３９】
図１５は、パターンｃの運用形態に対応した処理シーケンスを示している。パターンｃでは、ユーザの購入操作に応じてダウンロード制御メタファイル３１が取得される。そして、再生制御メタファイル４１が取得されるとともに、ダウンロード制御メタファイル３１内に記述されたダウンロードタイミングでコンテンツがダウンロードされ、コンテンツのダウンロードが完了した後にライセンスが要求される。この要求に対応して、真ライセンスが受信装置１０に供給され、課金が実行される。この段階で、顧客管理サーバ２２は、受信装置１０にダウンロード済みとなったコンテンツを把握することができる。よってこれ以降、ダウンロードナビゲーションページには、ダウンロード済の情報が反映される。ダウンロード済みコンテンツの再生時には、DRMクライアント１６内でライセンスの確認のみが実行される。
【０１４０】
図１６は、パターンｄの運用形態に対応した処理シーケンスを示している。パターンｄでは、ユーザの申し込み操作に応じてダウンロード制御メタファイル３１が取得され、再生制御メタファイル４１が取得されるとともに、ダウンロード制御メタファイル３１に従いコンテンツ１が即時ダウンロードされ、コンテンツのダウンロードが完了した後にライセンスが要求される。この要求に対応して、ダミーライセンスが受信装置１０に供給される。この段階で、顧客管理サーバ２２は、受信装置１０にダウンロード済みとなったコンテンツを把握することができる。よってこれ以降、ダウンロードナビゲーションページには、ダウンロード済の情報が反映される。
【０１４１】
そして、ダウンロード制御メタファイル３１に記述されたダウンロードタイミング（更新）に応じ、指定された更新タイミングにダウンロード制御メタファイル３１自身が再取得され、再取得されたダウンロード制御メタファイル３１が更新されているならば、コンテンツのダウンロード、ダミーライセンスの取得など一連の処理が繰り返されことになる。なお、顧客がサービスを解約した場合、ダウンロード制御メタファイル３１内のダウンロードタイミング（更新）の記載を変更することによってダウンロードの継続を中止させることができる。
【０１４２】
ダウンロード済みコンテンツの再生時には、真ライセンスが未取得なので、DRMクライアント１６からDRMサーバ２６に対して真ライセンスが要求されるが、この要求に先立ち、「視聴しますか？ＯＫボタンを押すと課金されます」等のメッセージによりユーザに課金の承諾が求められる。そしてユーザが承諾（購入操作）した後、真ライセンスが要求され、この要求に応じて、受信装置１０に真ライセンスが供給されて、課金が実行される。なお、ユーザが課金に応じなかった場合には、ECG１４によるローカルコンテンツリストの表示に戻るようにする。
【０１４３】
図１７は、パターンｅの運用形態に対応した処理シーケンスを示している。パターンｅでは、ユーザの購入操作に応じてダウンロード制御メタファイル３１が取得され、ダウンロード制御メタファイル３１に従い、再生制御メタファイル４１が取得され、また、パックを構成する全てのコンテンツが順に即時ダウンロードされ、全てのコンテンツのダウンロードが完了した後にライセンスが要求される。この要求に対応して、真ライセンスが受信装置１０に一括して供給され、課金が実行される。この段階で、顧客管理サーバ２２は、受信装置１０にダウンロード済みとなったコンテンツを把握することができる。よってこれ以降、ダウンロードナビゲーションページには、ダウンロード済の情報が反映される。ダウンロード済みコンテンツの再生時には、DRMクライアント１６内でライセンスの確認のみが実行される。
【０１４４】
図１８は、パターンｆの運用形態に対応した処理シーケンスを示している。パターンｆでは、パックを構成する全てのコンテンツが所定の間隔で周期的にダウンロードされる（例えば２０話のＴＶドラマパックが毎週１話ずつ２０週間かけてダウンロードされる）。この運用形態の場合、各コンテンツがダウンロードされるタイミングが離散的であるのでダウンロード後課金の運用は困難である。よってダウンロード前課金とする。
【０１４５】
具体的には、ユーザによるパックの購入操作に応じて課金が実行され、ダウンロード制御メタファイル３１が取得され、ダウンロード制御メタファイル３１に従い、再生制御メタファイル４１が取得されるとともに、コンテンツ１が即時ダウンロードされ、コンテンツのダウンロードが完了した後にライセンスが要求される。この要求に対応して、真ライセンスが受信装置１０に供給される。そして、ダウンロード制御メタファイル３１に記述されたダウンロードタイミング（更新）に応じ、指定された更新タイミングにダウンロード制御メタファイル３１自身が再取得され、再取得されたダウンロード制御メタファイル３１に従い、コンテンツ２のダウンロードと、真ライセンスの取得など一連の処理が行われる。この一連の処理は、パックを構成するコンテンツの数だけ実行される。ダウンロード済みコンテンツの再生時には、DRMクライアント１６内でライセンスの確認のみが実行される。
【０１４６】
図１９は、パターンｇの運用形態に対応した処理シーケンスを示している。パターンｇでは、ユーザの契約操作に応じて課金が実行される。そして、ユーザのダウンロード操作に応じてダウンロード制御メタファイル３１が取得され、ダウンロード制御メタファイル３１に従い、再生制御メタファイル４１が取得されるとともに、コンテンツが即時ダウンロードされ、コンテンツのダウンロードが完了した後にライセンスが要求される。この要求に対応して、真ライセンスが受信装置１０に供給される。この段階で、顧客管理サーバ２２は、受信装置１０にダウンロード済みとなったコンテンツを把握することができる。よってこれ以降、ダウンロードナビゲーションページには、ダウンロード済の情報が反映される。ダウンロード済みコンテンツの再生時には、DRMクライアント１６内でライセンスの確認のみが実行される。
【０１４７】
図２０は、パターンｈの運用形態に対応した処理シーケンスを示している。パターンｈでは、コンテンツが自動的、且つ、継続的にダウンロードされる。具体的には、ユーザの契約操作に応じて課金が実行され、ダウンロード制御メタファイル３１が取得され、ダウンロード制御メタファイル３１に従い、再生制御メタファイル４１が取得されるとともに、コンテンツ１が即時ダウンロードされ、コンテンツのダウンロードが完了した後にライセンスが要求される。この要求に対応して、真ライセンスが受信装置１０に供給される。
【０１４８】
そして、ダウンロード制御メタファイル３１に記述されたダウンロードタイミング（更新）に応じ、指定された更新タイミングにダウンロード制御メタファイル３１自身が再取得され、再取得されたダウンロード制御メタファイル３１に従い、コンテンツ２のダウンロード、真ライセンスの取得など一連の処理が行われる。この一連の処理は、見放題のコンテンツ全てをダウンロードするまで、あるいはユーザが契約を解除するまで実行される。ダウンロード済みコンテンツの再生時には、DRMクライアント１６内でライセンスの確認のみが実行される。
【０１４９】
図２１は、パターンｉの運用形態に対応した処理シーケンスを示している。パターンｉでは、ユーザの契約操作に応じて課金が実行される。そして、ユーザのダウンロード操作に応じてダウンロード制御メタファイル３１が取得され、ダウンロード制御メタファイル３１に従い、再生制御メタファイル４１が取得されるとともに、コンテンツが即時ダウンロードされ、コンテンツのダウンロードが完了した後にライセンスが要求される。この要求に対応して、コンテンツを再生（視聴）できる回数の残数（権利数）が確認され、権利数が１以上残っている場合、権利数が１だけ減少されて真ライセンスが受信装置１０に供給される。
【０１５０】
この段階で、顧客管理サーバ２２は、権利数と受信装置１０にダウンロード済みとなったコンテンツを把握することができる。よってこれ以降、ダウンロードナビゲーションページには、ダウンロード済の情報が反映される。権利数が０となった場合、ダウンロードナビゲーションページにおいてダウンロード指示ができなくなるようにする。ダウンロード済みコンテンツの再生時には、DRMクライアント１６内でライセンスの確認のみが実行される。
【０１５１】
図２２は、パターンｊの運用形態に対応した処理シーケンスを示している。パターンｊでは、ユーザの契約操作に応じて課金が実行され、ダウンロード制御メタファイル３１が取得され、ダウンロード制御メタファイル３１に従い、再生制御メタファイル４１が取得されるとともに、コンテンツ１が即時ダウンロードされ、コンテンツのダウンロードが完了した後にライセンスが要求される。この要求に対応して、ダミーライセンスが受信装置１０に供給される。そして、ダウンロード制御メタファイル３１に記述されたダウンロードタイミング（更新）に応じ、指定された更新タイミングにダウンロード制御メタファイル３１自身が再取得され、再取得されたダウンロード制御メタファイル３１が更新されているならば、コンテンツのダウンロード、ダミーライセンスの取得など一連の処理が繰り返されことになる。なお、顧客がサービスを解約した場合、ダウンロード制御メタファイル３１内のダウンロードタイミング（更新）の記載を変更することによってダウンロードの継続を中止させることができる。
【０１５２】
ダウンロード済みコンテンツの再生時には、真ライセンスが未取得なので、DRMクライアント１６からDRMサーバ２６に対して真ライセンスが要求されるが、この要求に先立ち、「視聴しますか？ＯＫボタンを押すと権利数が１だけ減少します」等のメッセージによりユーザに承諾が求められる。そしてユーザが承諾（確認操作）した後、真ライセンスが要求され、この要求に応じて、受信装置１０に真ライセンスが供給されて、この要求に対応して、コンテンツを視聴できる数の残数（権利数）が確認され、権利数が１以上残っている場合、権利数が１だけ減少されて真ライセンスが受信装置１０に供給される。なお、このとき、既に権利数が０である場合、真ライセンスは供給されず、権利数が０である旨をユーザに通知するようにする。また、ユーザが権利数の減少の承諾に応じなかった場合には、ECG１４によるローカルコンテンツリストの表示に戻るようにする。
【０１５３】
以上説明したように、本発明を適用したコンテンツダウンロードシステム１によれば、受信装置１０の基本的な動作を共通としたまま、上述したパターンａ乃至ｊのような様々な運用形態に対応することができる。
【０１５４】
次に、上述したパターンａ乃至ｊなどを適宜応用した運用形態として、受信装置１０のユーザの利便性を考慮して課金キャンセルを可能としたレンタル運用形態と無期限視聴権利購入運用形態について説明する。
【０１５５】
なお、レンタル運用形態と無期限視聴権利購入運用形態では、課金タイミングとしてダウンロード前課金の採用を前提とする。
【０１５６】
レンタル運用形態は、いわゆるレンタルビデオ店などのサービスと同様、コンテンツに対して、例えば３泊４日、１週間などの視聴可能期間を設定するものである。なお、この視聴可能期間は、初回の視聴（再生）時を始点として設定される。
【０１５７】
図２３は、レンタル運用形態として３泊４日の利用例を示している。例えば、同図Ａに示すように、３月８日に課金してダウンロードを実行し、ダウンロード完了後、３月１４日に初回の視聴を行なった場合、この段階で真ライセンスが取得されて視聴可能期間が３月１４日から３月１８日までに設定される。また例えば、同図Ｂに示すように、３月１０日に課金してダウンロードを実行し、ダウンロード完了後、３月１２日に初回の視聴を行なった場合、この段階で真ライセンスが取得されて視聴可能期間が３月１２日から３月１６日までに設定される。さらに例えば、同図Ｃに示すように、３月１１日に課金してダウンロードを実行し、ダウンロード完了を待たず、３月１２日に初回の視聴を行なった（すなわち、プログレッシブダウンロードを行なった）場合、この段階で真ライセンスが取得されて視聴可能期間が３月１２日から３月１６日までに設定される。
【０１５８】
無期限視聴権利購入運用形態は、ダウンロードされたコンテンツに対して、無期限の視聴可能期間を設定するものである。
【０１５９】
図２４は、無期限視聴権利購入運用形態の利用例を示している。例えば、同図Ａに示すように、３月１２日に課金してダウンロードを実行し、ダウンロード完了時に真ランセンスが取得されるので、その後は無期限にコンテンツを視聴（再生）することができる。また例えば、同図Ｂに示すように、３月１８日に課金してダウンロードを実行し、ダウンロード完了時に真ランセンスが取得されるので、その後は無期限にコンテンツを視聴（再生）することができる。なお、同図Ｂのように、ダウンロード完了後の長い期間、視聴（再生）が行なわれなかったとしても、供給装置２０側はダウンロード完了時に真ランセンスを受信装置１０側に供給しているので、視聴（再生）が行なわれなかったこの長い期間、供給装置２０側が真ライセンスを保持し続けておく必要がない。さらに例えば、同図Ｃに示すように、３月２２日に課金してダウンロードを実行し、ダウンロード完了を待たず、初回の視聴を行なった（すなわち、プログレッシブダウンロードを行なった）場合、この段階で真ライセンスが取得されるので、その後は無期限にコンテンツを視聴（再生）することができる。
【０１６０】
ところで、レンタル運用形態と無期限視聴権利購入運用形態において可能な課金キャンセルは、受信装置１０のユーザにとって、単純な操作ミス、心変わり（視聴したくなくなった）、ネットワーク２の混雑などに起因するダウンロード時間の長期化（ダウンロードが完了するまで待ちきれない）などの場合において利便性の向上に繋がる。
【０１６１】
しかしながら、この課金キャンセルは、供給装置２０の運営者側としては、コンテンツのダウンロードにより通信回線が利用されたにも拘わらずその対価を得られないという、収益の直接的な減少となる。そこで、コンテンツダウンロードシステム１では、課金キャンセルを実行できる期間（以下、課金キャンセル可能期間と称する）に制限を設け、課金キャンセルが頻繁に利用されることを抑止するようになされている。
【０１６２】
具体的には、コンテンツのダウンロードが完了せず、且つ、コンテンツの再生が開始されていないときまでを課金キャンセル可能期間とするようになされている。
【０１６３】
図２５は、図２３に示されたレンタル運用形態の利用例における課金キャンセル可能期間を示している。
【０１６４】
例えば、同図Ａおよび同図Ｂに示すように、課金後にダウンロードを実行し、ダウンロード完了後に初回の視聴を行なった場合、ダウンロード完了（ダミーライセンスの取得によって認識される）までが課金キャンセル可能期間となる。また例えば、同図Ｃに示すように、課金後にダウンロードを実行し、ダウンロード完了を待たず、初回の視聴を開始した（すなわち、プログレッシブダウンロードを行なった）場合、この初回の視聴開始（真ライセンスの取得によって認識される）までが課金キャンセル可能期間となる。
【０１６５】
図２６は、図２４に示された無期限視聴権利購入運用形態（ダミーランセンスを利用しない場合）の利用例における課金キャンセル可能期間を示している。同図の例では、受信装置１０がコンテンツのダウンロード完了時に真ライセンスを取得するように設定されているものとする。
【０１６６】
例えば、同図Ａおよび同図Ｂに示すように、課金後にダウンロードを実行し、ダウンロード完了後に初回の視聴を行なった場合、ダウンロード完了まで（真ライセンスの取得まで）が課金キャンセル可能期間となる。ただし、真ライセンスの取得によってダウンロード完了とは認識されない。また例えば、同図Ｃに示すように、課金後にダウンロードを実行し、ダウンロード完了を待たず、初回の視聴を開始した（すなわち、プログレッシブダウンロードを行なった）場合、この初回の視聴開始（真ライセンスの取得によって認識される）までが課金キャンセル可能期間となる。
【０１６７】
図２７は、図２４に示された無期限視聴権利購入運用形態（ダミーランセンスを利用しない場合）の利用例における課金キャンセル可能期間を示している。同図の例では、受信装置１０がコンテンツのダウンロード完了時にダミーランセンスと真ライセンスとを取得するように設定されているものとする。
【０１６８】
例えば、同図Ａおよび同図Ｂに示すように、課金後にダウンロードを実行し、ダウンロード完了後に初回の視聴を行なった場合、ダウンロード完了（ダミーライセンスの取得によって認識される）までが課金キャンセル可能期間となる。また例えば、同図Ｃに示すように、課金後にダウンロードを実行し、ダウンロード完了を待たず、初回の視聴を開始した（すなわち、プログレッシブダウンロードを行なった）場合、この初回の視聴開始（真ライセンスの取得によって認識される）までが課金キャンセル可能期間となる。そして、ダウンロード完了時にダミーライセンスが取得され、これにより、ダウンロード完了が供給装置２０側で認識される。
【０１６９】
次に、上述した課金キャンセルを実行するときの第１の動作例（以下、第１の課金キャンセル処理と称する）について、図２８のフローチャートを参照して説明する。第１の課金キャンセル処理では、課金済みのコンテンツのうち、ユーザによって選択されたものが課金キャンセル可能期間中であるか否か供給装置２０側で判断される。
【０１７０】
なお、第１の課金キャンセル処理の前提として、受信装置１０のユーザは、当該コンテンツダウンロードサービスの運営者側にサービス利用のための登録を済ませており、これにより、供給装置２０の顧客管理サーバ２２には、受信装置１０のユーザの情報が顧客情報として登録されており、さらに購入したパッケージを示す購入履歴情報やダウンロード済みコンテンツを示すダウンロード履歴情報が対応付けて管理されているものとする。また、ダウンロード前に課金が行われているものとする。
【０１７１】
受信装置１０のブラウザ１１が供給装置２０のWebサーバ２１にアクセスし、ユーザ認証を実行した後、ユーザの購入履歴を示すWebページ（以下、購入履歴ページと称する）を表示するためのHTML文書などを取得する。さらに、ブラウザ１１は、取得したHTML文書などに基づいて、例えば、図２９Ａに示すような購入履歴ページ１１１をユーザに提示する。このインタラクティブに操作可能な購入履歴ページ１１１において、ユーザが課金キャンセルしたいコンテンツに対応するキャンセルボタン１１２を押下操作すると、この第１の課金キャンセル処理が開始される。
【０１７２】
ステップＳ２０１において、ブラウザ１１は、課金キャンセル操作の発生と選択されたコンテンツ（既に課金済みのコンテンツ）をWebサーバ２１に通知する。
【０１７３】
この通知に応じ、Webサーバ２１は、ステップＳ２１１において、顧客管理サーバ２２にアクセスし、課金キャンセル操作の発生を通知してきた受信装置１０がダウンロード完了通知対応機種であるか否か、すなわち、課金キャンセル対応機種であるか否かを判定する。ここで、ダウンロード完了通知対応機種である、すなわち、課金キャンセル対応機種であると判定された場合、処理はステップＳ２１２に進められる。反対に、ダウンロード完了通知対応機種ではない、すなわち、課金キャンセル対応機種ではないと判定された場合、処理はステップＳ２１３に進められる。
【０１７４】
ステップＳ２１２において、Webサーバ２１は、顧客管理サーバ２２にアクセスし、課金キャンセル操作の発生を通知してきた受信装置１０がダミーライセンスか真ライセンスの少なくとも一方を取得済みであるか否か判定する。ここで、ダミーライセンスか真ライセンスの少なくとも一方が取得済みであると判定された場合、処理はステップＳ２１３に進められ、Webサーバ２１は、課金キャンセル不可をブラウザ１１に通知する。なお、ステップＳ２１２で、コンテンツのダウンロードが完了していると認識できるのは、ダミーランセンスが取得済みである場合だけである。
【０１７５】
反対に、ステップＳ２１２において、課金キャンセル操作の発生を通知してきた受信装置１０がダミーライセンスおよび真ライセンスを取得していないと判定された場合、処理はステップＳ２１４に進められ、Webサーバ２１は、課金キャンセル可をブラウザ１１に通知する。
【０１７６】
Webサーバ２１からの課金キャンセル可または課金キャンセル可の通知に応じ、ブラウザ１１は、ステップＳ２０２において、Webサーバ２１からの通知に基づき、課金キャンセルの可否を判定し、課金キャンセルが可能であると判定した場合、処理をステップＳ２０３に進める。ステップＳ２０３において、ブラウザ１１は、例えば図２９Ｂに示すような課金キャンセル確認表示１１３をユーザに提示し、ステップＳ２０４において、課金キャンセルの実行を確認する（具体的には、課金キャンセル確認表示１１３におけるYESボタン１１４の押下操作を確認する）。
【０１７７】
ここで、ユーザから課金キャンセルの実行が確認できた（具体的には、課金キャンセル確認表示１１３におけるYESボタン１１４の押下操作が確認できた）場合、ステップＳ２０５において、ブラウザ１１は、確認済みをWebサーバ２１に通知する。
【０１７８】
この通知に応じ、Webサーバ２１は、ステップＳ２１５において、顧客管理サーバ２２にアクセスし、選択されたコンテンツに対応する課金をキャンセルさせる。そして、Webサーバ２１は、課金キャンセル成功をブラウザ１１に通知する。
【０１７９】
Webサーバ２１からの通知に応じ、ステップＳ２０６において、ブラウザ１１は、例えば図２９Ｃに示すような課金キャンセル成功表示１１６を表示することにより、ユーザに課金キャンセルが成功したことを通知する。以上で、第１の課金キャンセル処理は終了される。
【０１８０】
なお、ステップＳ２０２において、Webサーバ２１からの通知に基づき、課金キャンセルが不可能であると判定した場合、処理はステップＳ２０７に進められ、ブラウザ１１は、例えば図２９Ｄに示すような課金キャンセル不可能表示１１７を表示することにより、ユーザに課金キャンセルが不可能であることを通知する。以上で、第１の課金キャンセル処理は終了される。
【０１８１】
また、ステップＳ２０４において、ユーザから課金キャンセルの実行が確認できない（具体的には、課金キャンセル確認表示１１３におけるNOボタン１１４の押下操作が確認できた）場合、第１の課金キャンセル処理が終了される。
【０１８２】
以上で、第１の課金キャンセル処理の説明を終了する。
【０１８３】
次に、上述した課金キャンセルを実行するときの第２の動作例（以下、第２の課金キャンセル処理と称する）について、図３０のフローチャートを参照して説明する。第２の課金キャンセル処理では、課金済みのコンテンツのうち、ユーザによって選択されたものが課金キャンセル可能期間中であるか否か受信装置１０側で判断される。
【０１８４】
なお、第２の課金キャンセル処理の前提として、受信装置１０のユーザは、当該コンテンツダウンロードサービスの運営者側にサービス利用のための登録を済ませており、これにより、供給装置２０の顧客管理サーバ２２には、受信装置１０のユーザの情報が顧客情報として登録されており、さらに購入したパッケージを示す購入履歴情報やダウンロード済みコンテンツを示すダウンロード履歴情報が対応付けて管理されているものとする。また、ダウンロード前に課金が行われているものとする。
【０１８５】
受信装置１０のブラウザ１１が供給装置２０のWebサーバ２１にアクセスし、ユーザ認証を実行した後、ユーザの購入履歴を示すWebページ（以下、購入履歴ページと称する）を表示するためのHTML文書などを取得する。さらに、ブラウザ１１は、取得したHTML文書などに基づいて、例えば、図２９Ａに示すような購入履歴ページ１１１をユーザに提示する。このインタラクティブに操作可能な購入履歴ページ１１１において、ユーザが課金キャンセルしたいコンテンツに対応するキャンセルボタン１１２を押下操作すると、この第２の課金キャンセル処理が開始される。
【０１８６】
ステップＳ２３１において、ブラウザ１１は、課金キャンセル操作の発生と選択されたコンテンツ（既に課金済みのコンテンツ）をWebサーバ２１に通知する。
【０１８７】
この通知に応じ、Webサーバ２１は、ステップＳ２５１において、顧客管理サーバ２２にアクセスし、課金キャンセル操作の発生を通知してきた受信装置１０がダウンロード完了通知対応機種であるか否か、すなわち、課金キャンセル対応機種であるか否かを判定する。ここで、ダウンロード完了通知対応機種である、すなわち、課金キャンセル対応機種であると判定された場合、処理はステップＳ２５２に進められる。ステップＳ２５２において、Webサーバ２１は、受信装置１０がダウンロード完了通知対応機種であることをブラウザ１１に通知する。
【０１８８】
反対に、ステップＳ２５１において、ダウンロード完了通知対応機種ではない、すなわち、課金キャンセル対応機種ではないと判定された場合、処理はステップＳ２５３に進められる。ステップＳ２５３において、Webサーバ２１は、課金キャンセル不可をブラウザ１１に通知する。
【０１８９】
Webサーバ２１からの通知に応じ、ステップＳ２３２において、ブラウザ１１は、課金キャンセルの可否を判定する。具体的には、Webサーバ２１からダウンロード完了通知対応機種であることが通知された場合、ダウンローダ１２に対して選択されたコンテンツのダウンロードが完了していないことを確認するとともに、ＡＶプレイヤ１５に対して選択されたコンテンツの再生が行なわれていないことを確認し、これらの両方が確認できたときには課金キャンセル可と判定して、処理をステップＳ２３３に進める。反対に、これらの少なくとも一方が確認できなかったときには課金キャンセル不可と判定して、処理をステップＳ２３７に進める。また、Webサーバ２１から課金キャンセル不可が通知された場合にも、課金キャンセル不可と判定して、処理をステップＳ２３７に進める。
【０１９０】
ステップＳ２３３において、ブラウザ１１は、例えば図２９Ｂに示すような課金キャンセル確認表示１１３をユーザに提示し、ステップＳ２３４において、課金キャンセルの実行を確認する（具体的には、課金キャンセル確認表示１１３におけるYESボタン１１４の押下操作を確認する）。
【０１９１】
ここで、ユーザから課金キャンセルの実行が確認できた（具体的には、課金キャンセル確認表示１１３におけるYESボタン１１４の押下操作が確認できた）場合、ステップＳ２３５において、ブラウザ１１は、確認済みをWebサーバ２１に通知する。
【０１９２】
この通知に応じ、Webサーバ２１は、ステップＳ２５４において、顧客管理サーバ２２にアクセスし、選択されたコンテンツに対応する課金をキャンセルさせる。そして、Webサーバ２１は、課金キャンセル成功をブラウザ１１に通知する。
【０１９３】
Webサーバ２１からの通知に応じ、ステップＳ２３６において、ブラウザ１１は、例えば図２９Ｃに示すような課金キャンセル成功表示１１６を表示することにより、ユーザに課金キャンセルが成功したことを通知する。以上で、第２の課金キャンセル処理は終了される。
【０１９４】
なお、ステップＳ２３２において、課金キャンセルが不可能であると判定した場合、処理はステップＳ２３７に進められ、ブラウザ１１は、例えば図２９Ｄに示すような課金キャンセル不可能表示１１７を表示することにより、ユーザに課金キャンセルが不可能であることを通知する。以上で、第２の課金キャンセル処理は終了される。
【０１９５】
また、ステップＳ２３４において、ユーザから課金キャンセルの実行が確認できない（具体的には、課金キャンセル確認表示１１３におけるNOボタン１１４の押下操作が確認できた）場合、第２の課金キャンセル処理が終了される。
【０１９６】
以上で、第２の課金キャンセル処理の説明を終了する。
【０１９７】
次に、上述した課金キャンセルを実行するときの第３の動作例（以下、第３の課金キャンセル処理と称する）について、図３１のフローチャートを参照して説明する。第３の課金キャンセル処理では、課金済みの各コンテンツに対する課金キャンセルの可否が供給装置２０側で判断される。
【０１９８】
なお、第３の課金キャンセル処理の前提として、受信装置１０のユーザは、当該コンテンツダウンロードサービスの運営者側にサービス利用のための登録を済ませており、これにより、供給装置２０の顧客管理サーバ２２には、受信装置１０のユーザの情報が顧客情報として登録されており、さらに購入したパッケージを示す購入履歴情報やダウンロード済みコンテンツを示すダウンロード履歴情報が対応付けて管理されているものとする。また、ダウンロード前に課金が行われているものとする。
【０１９９】
受信装置１０のブラウザ１１が供給装置２０のWebサーバ２１にアクセスし、ユーザ認証を実行した後、ユーザの購入履歴を示すWebページ（以下、購入履歴ページと称する）を表示するための操作を行うと、この第３の課金キャンセル処理が開始される。
【０２００】
ステップＳ２７１において、ブラウザ１１は、購入履歴ページを表示させる操作の発生をWebサーバ２１に通知する。
【０２０１】
この通知に応じ、Webサーバ２１は、ステップＳ２９１において、課金済みの各コンテンツがそれぞれ課金キャンセル可能であるか否かを判定し、この判定結果を含む購入履歴ページを表示させるためのHTML文書をブラウザ１１に供給する。
【０２０２】
この判定は、具体的には、顧客管理サーバ２２にアクセスし、購入履歴ページを表示させる操作の発生を通知してきた受信装置１０がダウンロード完了通知対応機種であるか否か、すなわち、課金キャンセル対応機種であるか否かを判定する。ここで、ダウンロード完了通知対応機種ではない、すなわち、課金キャンセル対応機種ではないと判定された場合、課金済みの全てのコンテンツに対して課金キャンセル不可と判定する。
【０２０３】
反対に、ダウンロード完了通知対応機種である、すなわち、課金キャンセル対応機種であると判定された場合、Webサーバ２１は、顧客管理サーバ２２にアクセスし、課金済みの各コンテンツのそれぞれに対し、受信装置１０がダミーライセンスか真ライセンスの少なくとも一方を取得済みであるか否か判定する。ここで、ダミーライセンスか真ライセンスの少なくとも一方が取得済みであると判定された場合には課金キャンセル不可と判定する。反対に、受信装置１０がダミーライセンスおよび真ライセンスを取得していないと判定された場合には課金キャンセル可と判定する。
【０２０４】
Webサーバ２１から、購入履歴ページを表示するためのHTML文書が供給されたブラウザ１１は、ステップＳ２７２において、例えば、図３２Ａに示すような、各コンテンツの課金キャンセルの可否が示された購入履歴ページ１２１をユーザに提示する。
【０２０５】
ステップＳ２７３において、ブラウザ１１は、表示中の購入履歴ページ１２１を閉じるように指示する操作が行われたか否かを判定し、当該操作が行われていない場合、処理をステップＳ２７４に進める。ステップＳ２７４において、ブラウザ１１は、ユーザから課金キャンセルを指示する操作（具体的には、購入履歴ページ１２１におけるキャンセルボタン１２２の押下操作）があったか否かを判定し、ユーザから課金キャンセルを指示する操作があった場合、処理をステップＳ２７５に進める。
【０２０６】
ステップＳ２７５において、ブラウザ１１は、例えば図３２Ｂに示すような課金キャンセル確認表示１２３をユーザに提示し、ステップＳ２７６において、課金キャンセルの実行を確認する（具体的には、課金キャンセル確認表示１２３におけるYESボタン１２４の押下操作を確認する）。
【０２０７】
ここで、ユーザから課金キャンセルの実行が確認できた（具体的には、課金キャンセル確認表示１２３におけるYESボタン１２４の押下操作が確認できた）場合、ステップＳ２７７において、ブラウザ１１は、課金キャンセルを行うコンテンツをWebサーバ２１に通知する。
【０２０８】
この通知に応じ、Webサーバ２１は、ステップＳ２９２において、顧客管理サーバ２２にアクセスし、指示されたコンテンツに対応する課金をキャンセルさせる。そして、Webサーバ２１は、課金キャンセル成功をブラウザ１１に通知する。
【０２０９】
Webサーバ２１からの通知に応じ、ステップＳ２７８において、ブラウザ１１は、例えば図３２Ｃに示すような課金キャンセル成功表示１２６を表示することにより、ユーザに課金キャンセルが成功したことを通知する。この後、処理はステップＳ２７２に戻され、ステップＳ２７２以降が繰り返される。
【０２１０】
なお、ステップＳ２７４において、ユーザから課金キャンセルを指示する操作がなかった場合、処理はステップＳ２７２に戻され、それ以降が繰り返される。また、ステップＳ２７６において、ユーザから課金キャンセルの実行が確認できなかった（具体的には、課金キャンセル確認表示１２３におけるNOボタン１２５の押下操作が確認できた）場合にも、処理はステップＳ２７２に戻されて、それ以降が繰り返される。
【０２１１】
そして、ステップＳ２７３において、表示中の購入履歴ページ１２１を閉じるように指示する操作が行われた場合、第３の課金キャンセル処理は終了される。
【０２１２】
以上で、第３の課金キャンセル処理の説明を終了する。
【０２１３】
次に、上述した課金キャンセルを実行するときの第４の動作例（以下、第４の課金キャンセル処理と称する）について、図３３のフローチャートを参照して説明する。第４の課金キャンセル処理では、課金済みの各コンテンツに対する課金キャンセルの可否が受信装置１０側で判断される。
【０２１４】
なお、第４の課金キャンセル処理の前提として、受信装置１０のユーザは、当該コンテンツダウンロードサービスの運営者側にサービス利用のための登録を済ませており、これにより、供給装置２０の顧客管理サーバ２２には、受信装置１０のユーザの情報が顧客情報として登録されており、さらに購入したパッケージを示す購入履歴情報やダウンロード済みコンテンツを示すダウンロード履歴情報が対応付けて管理されているものとする。また、ダウンロード前に課金が行われているものとする。
【０２１５】
受信装置１０のブラウザ１１が供給装置２０のWebサーバ２１にアクセスし、ユーザ認証を実行した後、ユーザの購入履歴を示すWebページ（以下、購入履歴ページと称する）を表示するための操作を行うと、この第４の課金キャンセル処理が開始される。
【０２１６】
ステップＳ３０１において、ブラウザ１１は、購入履歴ページを表示させる操作の発生をWebサーバ２１に通知する。
【０２１７】
この通知に応じ、ステップＳ３２１において、Webサーバ２１は、購入履歴ページを表示するためのHTML文書をブラウザに供給する。また、Webサーバ２１は、顧客管理サーバ２２にアクセスし、購入履歴ページを表示させる操作の発生を通知してきた受信装置１０がダウンロード完了通知対応機種であるか否か、すなわち、課金キャンセル対応機種であるか否かを判定する。ここで、ダウンロード完了通知対応機種である、すなわち、課金キャンセル対応機種であると判定された場合、Webサーバ２１は、受信装置１０がダウンロード完了通知対応機種であることをブラウザ１１に通知する。反対に、ダウンロード完了通知対応機種ではない、すなわち、課金キャンセル対応機種ではないと判定された場合、Webサーバ２１は、課金キャンセル不可をブラウザ１１に通知する。
【０２１８】
Webサーバ２１からの通知に応じ、ステップＳ３０２において、ブラウザ１１は、課金済みの各コンテンツがそれぞれ課金キャンセル可能であるか否かを判定する。具体的には、Webサーバ２１から課金キャンセル不可が通知された場合、課金済みの全てのコンテンツに対して課金キャンセル不可と判定する。反対に、Webサーバ２１から受信装置１０がダウンロード完了通知対応機種であると通知された場合、課金済みのコンテンツ毎、ダウンローダ１２に対してダウンロードが完了していないことを確認するとともに、ＡＶプレイヤ１５に対して再生が行なわれていないことを確認し、これらの両方が確認できたときには課金キャンセル可と判定する。反対に、これらの少なくとも一方が確認できなかったときには課金キャンセル不可と判定する。
【０２１９】
ステップＳ３０３において、ブラウザ１１は、Webサーバ２１から供給された購入履歴ページを表示するためのHTML文書に、ステップＳ３０２で判定した各コンテンツの課金キャンセル可否を反映させて、例えば、図３２Ａに示されたような、各コンテンツの課金キャンセルの可否が示された購入履歴ページ１２１をユーザに提示する。
【０２２０】
ステップＳ３０４において、ブラウザ１１は、表示中の購入履歴ページ１２１を閉じるように指示する操作が行われたか否かを判定し、当該操作が行われていない場合、処理をステップＳ３０５に進める。ステップＳ３０５において、ブラウザ１１は、ユーザから課金キャンセルを指示する操作（具体的には、購入履歴ページ１２１におけるキャンセルボタン１２２の押下操作）があったか否かを判定し、ユーザから課金キャンセルを指示する操作があった場合、処理をステップＳ３０６に進める。
【０２２１】
ステップＳ３０６において、ブラウザ１１は、例えば図３２Ｂに示されたような課金キャンセル確認表示１２３をユーザに提示し、ステップＳ３０７において、課金キャンセルの実行を確認する（具体的には、課金キャンセル確認表示１２３におけるYESボタン１２４の押下操作を確認する）。
【０２２２】
ここで、ユーザから課金キャンセルの実行が確認できた（具体的には、課金キャンセル確認表示１２３におけるYESボタン１２４の押下操作が確認できた）場合、ステップＳ３０８において、ブラウザ１１は、課金キャンセルを行うコンテンツをWebサーバ２１に通知する。
【０２２３】
この通知に応じ、Webサーバ２１は、ステップＳ３２２において、顧客管理サーバ２２にアクセスし、指示されたコンテンツに対応する課金をキャンセルさせる。そして、Webサーバ２１は、課金キャンセル成功をブラウザ１１に通知する。
【０２２４】
Webサーバ２１からの通知に応じ、ステップＳ３０９において、ブラウザ１１は、例えば図３２Ｃに示されたような課金キャンセル成功表示１２６を表示することにより、ユーザに課金キャンセルが成功したことを通知する。この後、処理はステップＳ３０３に戻され、ステップＳ３０３以降が繰り返される。
【０２２５】
なお、ステップＳ３０５において、ユーザから課金キャンセルを指示する操作がなかった場合、処理はステップＳ３０４に戻され、それ以降が繰り返される。また、ステップＳ３０７において、ユーザから課金キャンセルの実行が確認できなかった（具体的には、課金キャンセル確認表示１２３におけるNOボタン１２５の押下操作が確認できた）場合にも、処理はステップＳ３０４に戻されて、それ以降が繰り返される。
【０２２６】
そして、ステップＳ３０４において、表示中の購入履歴ページ１２１を閉じるように指示する操作が行われた場合、第４の課金キャンセル処理は終了される。
【０２２７】
以上で、第４の課金キャンセル処理の説明を終了する。
【０２２８】
次に、上述したレンタル運用形態と無期限視聴権利購入運用形態における課金キャンセル可能期間を、より具体的な処理シーケンスを用いて説明する。
【０２２９】
図３４は、レンタル運用形態において、コンテンツのダウンロードが完了した後に再生が行なわれる場合（図２５Ａおよび図２５Ｂに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされ、コンテンツのダウンロードが完了した後にダミーライセンスが要求される。この要求に対応して、ダミーライセンスが受信装置１０に供給される。このダミーライセンスの要求は、供給装置２０側に対するコンテンツのダウンロード完了通知としても機能する。ダウンロード済みコンテンツの再生時には、DRMクライアント１６内でライセンスの確認が実行され、いまの場合にはダミーライセンスのみ取得済みであるので、真ライセンスを取得した後に再生が行なわれる。同図の場合、ダミーライセンスの要求に基づいて判断される、コンテンツのダウンロード完了通知までが課金キャンセル可能期間となる。
【０２３０】
図３５は、レンタル運用形態において、コンテンツのダウンロードが完了する前に再生が行なわれる（プログレッシブダウンロードが行なわれる）場合（図２５Ｃに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされる。そして、コンテンツのダウンロードが完了する前に再生が指示されると、真ライセンスが要求される。この要求に対応して、真ライセンスが受信装置１０に供給される。そして、この真ライセンスを用いて再生が行なわれる。なお、コンテンツのダウンロードが完了したときにはダミーライセンスが要求され、このダミーライセンスの要求が供給装置２０側に対するコンテンツのダウンロード完了通知として機能する。同図の場合、真ライセンスの要求に基づいて判断される、コンテンツの再生開始までが課金キャンセル可能期間となる。
【０２３１】
図３６は、レンタル運用形態において、コンテンツのダウンロードが完了する前に課金キャンセルが行われる場合（図２５Ａおよび図２５Ｂに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされる。そして、コンテンツのダウンロード完了前であって、かつ、再生開始前に、受信装置１０のユーザから課金キャンセルが指示されると、先に実行された課金がキャンセルされる。
【０２３２】
図３７は、無期限視聴権利購入運用形態（ダミーライセンスが利用されない場合）において、コンテンツのダウンロードが完了した後に再生が行なわれる場合（図２６Ａおよび図２６Ｂに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされ、コンテンツのダウンロードが完了した後に真ライセンスが要求される。この要求に対応して、真ライセンスが受信装置１０に供給される。ダウンロード済みコンテンツの再生時には、DRMクライアント１６内でライセンスの確認が実行され、取得済みの真ライセンスを用いて再生が行なわれる。同図の場合、真ライセンスの要求までが課金キャンセル可能期間となる。ただし、この真ライセンスの要求は、プログレッシブダウンロードの際にコンテンツのダウンロードが完了する前にも行なわれることがあるので、供給装置２０側に対するコンテンツのダウンロード完了通知としては機能しない。
【０２３３】
図３８は、無期限視聴権利購入運用形態（ダミーライセンスが利用されない場合）において、コンテンツのダウンロードが完了する前に再生が行なわれる（プログレッシブダウンロードが行なわれる）場合（図２６Ｃに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされる。そして、コンテンツのダウンロードが完了する前に再生が指示されると、真ライセンスが要求される。この要求に対応して、真ライセンスが受信装置１０に供給される。そして、この真ライセンスを用いて再生が行なわれる。同図の場合、真ライセンスの要求までが課金キャンセル可能期間となる。
【０２３４】
図３９は、無期限視聴権利購入運用形態（ダミーライセンスが利用される場合）において、コンテンツのダウンロードが完了した後に再生が行なわれる場合（図２７Ａおよび図２７Ｂに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされ、コンテンツのダウンロードが完了した後にダミーライセンスと真ライセンスが要求される。この要求に対応して、ダミーライセンスと真ライセンスが受信装置１０に供給される。このダミーライセンスの要求は、供給装置２０側に対するコンテンツのダウンロード完了通知としても機能する。ダウンロード済みコンテンツの再生時には、DRMクライアント１６内でライセンスの確認が実行され、取得済みの真ライセンスを用いて再生が行なわれる。同図の場合、ダミーライセンスの要求に基づいて判断される、コンテンツのダウンロード完了通知までが課金キャンセル可能期間となる。
【０２３５】
図４０は、無期限視聴権利購入運用形態（ダミーライセンスが利用される場合）において、コンテンツのダウンロードが完了する前に再生が行なわれる（プログレッシブダウンロードが行なわれる）場合（図２７Ｃに相当）の処理シーケンスを示している。すなわち、ユーザの購入操作に応じて課金が実行され、ダウンロード制御メタファイル３１が取得され、ダウンロード制御メタファイル３１に従い、再生制御メタファイル４１が取得されるとともに、コンテンツがダウンロードされる。そして、コンテンツのダウンロードが完了する前に再生が指示されると、真ライセンスが要求される。この要求に対応して、真ライセンスが受信装置１０に供給される。そして、この真ライセンスを用いて再生が行なわれる。なお、コンテンツのダウンロードが完了したときにはダミーライセンスが要求され、このダミーライセンスの要求が供給装置２０側に対するコンテンツのダウンロード完了通知として機能する。同図の場合、真ライセンスの要求に基づいて判断される、コンテンツの再生開始までが課金キャンセル可能期間となる。
【０２３６】
以上説明したように、本実施の形態によれば、ダウンロード前課金を前提とした運用形態において課金キャンセル可能期間を設けたことにより、例えば、ネットワーク２の混雑や供給装置２０の処理負荷の増大に起因してダウンロードに要する時間が長期化したような場合、ユーザは課金を受けることなくダウンロードを中止することができる。したがって、受信装置１０のユーザの利便性を向上させコンテンツダウンロードサービスに対するユーザの満足度を向上させることができる。
【０２３７】
また、コンテンツダウンロードサービスの事業者側にとっても、例えば、ユーザからの「対価を支払ったにも拘わらずコンテンツのダウンロードが完了せず、よってコンテンツ利用ができない」などのクレームの発生を抑止することができる。よって、ユーザのクレームに対応するためのコールセンタの拡充などの事業者のコスト負担を抑止できる。
【０２３８】
ところで、本実施の形態では、上述したように、ダミーライセンスを利用することにより、受信装置１０からのダミーライセンスの要求を、供給装置２０側において受信装置１０からのコンテンツのダウンロード完了通知とみなすことができるようになされている。
【０２３９】
このダウンロード完了通知を利用すれば、供給装置２０の顧客管理サーバ２２において、コンテンツのダウンロード成功率をモニタリングすることができる。また、コンテンツのダウンロードに要した時間を計時することができるので、ダウンロード所要時間率（コンテンツのダウンロードに要した時間／コンテンツの再生時間）を算出してモニタリングすることができる。こさらに、ダウンロード所要時間率はネットワーク２および供給装置２０の輻輳状況を示す指数として利用することができる。
【０２４０】
なお、本発明は、映像のコンテンツに限らず、楽曲、コンピュータプログラムなどあらゆる種類のコンテンツを商品としたダウンロードサービスに適用することが可能である。
【０２４１】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２４２】
図４１は、上述した一連の処理をプログラムにより実行するコンピュータのハードウェアの構成例を示すブロック図である。
【０２４３】
このコンピュータ２００において、CPU(Central Processing Unit)２０１，ROM(Read Only Memory)２０２，RAM(Random Access Memory)２０３は、バス２０４により相互に接続されている。
【０２４４】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０２４５】
以上のように構成されるコンピュータ２００では、CPU２０１が、例えば、記憶部２０８に記憶されているプログラムを、入出力インタフェース２０５およびバス２０４を介して、RAM２０３にロードして実行することにより、上述した一連の処理が行われる。
【０２４６】
なお、コンピュータ２００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２４７】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【０２４８】
また、本明細書において、システムとは、複数の装置により構成される装置全体を表すものである。
【０２４９】
なお、本発明の実施の形態は、上述した実施の形態に限定されるものではなく、本発明の要旨を逸脱しない範囲において種々の変更が可能である。
【図面の簡単な説明】
【０２５０】
【図１】本発明を適用したコンテンツダウンロードシステムの概念図である。
【図２】コンテンツのダウンロードタイミングと再生タイミングを示す図である。
【図３】コンテンツダウンロードシステムの構成例を示すブロック図である。
【図４】コンテンツの暗号化と復号の過程を説明する図である。
【図５】ダウンロード制御メタファイルの記述例を示す図である。
【図６】再生制御メタファイルの記述例を示す図である。
【図７】ダウンロード処理の概要を説明する図である。
【図８】ダウンロード処理を説明するタイミングチャートである。
【図９】ダウンローダによるダウンロード処理を説明するフローチャートである。
【図１０】ローカルコンテンツの再生処理の概要を説明する図である。
【図１１】ローカルコンテンツの再生処理を説明するタイミングチャートである。
【図１２】ローカルコンテンツの再生処理を説明するフローチャートである。
【図１３】パターンａの運用形態に対応する処理シーケンスを示す図である。
【図１４】パターンｂの運用形態に対応する処理シーケンスを示す図である。
【図１５】パターンｃの運用形態に対応する処理シーケンスを示す図である。
【図１６】パターンｄの運用形態に対応する処理シーケンスを示す図である。
【図１７】パターンｅの運用形態に対応する処理シーケンスを示す図である。
【図１８】パターンｆの運用形態に対応する処理シーケンスを示す図である。
【図１９】パターンｇの運用形態に対応する処理シーケンスを示す図である。
【図２０】パターンｈの運用形態に対応する処理シーケンスを示す図である。
【図２１】パターンｉの運用形態に対応する処理シーケンスを示す図である。
【図２２】パターンｊの運用形態に対応する処理シーケンスを示す図である。
【図２３】レンタル運用形態を説明する図である。
【図２４】無期限視聴権利購入運用形態を説明する図である。
【図２５】レンタル運用形態における課金キャンセル可能期間を説明する図である。
【図２６】無期限視聴権利購入運用形態（ダミーライセンスを利用しない場合）における課金キャンセル可能期間を説明する図である。
【図２７】無期限視聴権利購入運用形態（ダミーライセンスを利用する場合）における課金キャンセル可能期間を説明する図である。
【図２８】第１の課金キャンセル処理を説明するフローチャートである。
【図２９】第１の課金キャンセル処理におけるユーザインタフェースの表示例を示す図である。
【図３０】第２の課金キャンセル処理を説明するフローチャートである。
【図３１】第３の課金キャンセル処理を説明するフローチャートである。
【図３２】第３の課金キャンセル処理におけるユーザインタフェースの表示例を示す図である。
【図３３】第３の課金キャンセル処理を説明するフローチャートである。
【図３４】レンタル運用形態において課金キャンセル可能期間を設ける処理シーケンスを示す図である。
【図３５】レンタル運用形態において課金キャンセル可能期間を設ける処理シーケンスを示す図である。
【図３６】レンタル運用形態において課金キャンセル可能期間を設ける処理シーケンスを示す図である。
【図３７】無期限視聴権利購入運用形態（ダミーライセンスを利用しない場合）において課金キャンセル可能期間を設ける処理シーケンスを示す図である。
【図３８】無期限視聴権利購入運用形態（ダミーライセンスを利用しない場合）において課金キャンセル可能期間を設ける処理シーケンスを示す図である。
【図３９】無期限視聴権利購入運用形態（ダミーライセンスを利用する場合）において課金キャンセル可能期間を設ける処理シーケンスを示す図である。
【図４０】無期限視聴権利購入運用形態（ダミーライセンスを利用する場合）において課金キャンセル可能期間を設ける処理シーケンスを示す図である。
【図４１】汎用コンピュータの構成例を示すブロック図である。
【符号の説明】
【０２５１】
１  コンテンツダウンロードシステム，  ２  ネットワーク，  １０  受信装置，  ２０  供給装置，  １１  ブラウザ，  １２  ダウンローダ，  １３  ストレージ，  １４  ECG，  １５  ＡＶプレイヤ，  １６  DRMクライアント，  １７  外部出力部，  ２１  Webサーバ，  ２２  顧客管理サーバ，  ２３  課金・決済サーバ，  ２４  メタデータサーバ，  ２５  コンテンツサーバ，  ２６  DRMサーバ，  ３１  ダウンロード制御メタファイル，  ４１  再生制御メタファイル
【図１】
2008310809.tif 000003
【図２】
2008310809.tif 000004
【図３】
2008310809.tif 000005
【図４】
2008310809.tif 000006
【図５】
2008310809.tif 000007
【図６】
2008310809.tif 000008
【図７】
2008310809.tif 000009
【図８】
2008310809.tif 000010
【図９】
2008310809.tif 000011
【図１０】
2008310809.tif 000012
【図１１】
2008310809.tif 000013
【図１２】
2008310809.tif 000014
【図１３】
2008310809.tif 000015
【図１４】
2008310809.tif 000016
【図１５】
2008310809.tif 000017
【図１６】
2008310809.tif 000018
【図１７】
2008310809.tif 000019
【図１８】
2008310809.tif 000020
【図１９】
2008310809.tif 000021
【図２０】
2008310809.tif 000022
【図２１】
2008310809.tif 000023
【図２２】
2008310809.tif 000024
【図２３】
2008310809.tif 000025
【図２４】
2008310809.tif 000026
【図２５】
2008310809.tif 000027
【図２６】
2008310809.tif 000028
【図２７】
2008310809.tif 000029
【図２８】
2008310809.tif 000030
【図２９】
2008310809.tif 000031
【図３０】
2008310809.tif 000032
【図３１】
2008310809.tif 000033
【図３２】
2008310809.tif 000034
【図３３】
2008310809.tif 000035
【図３４】
2008310809.tif 000036
【図３５】
2008310809.tif 000037
【図３６】
2008310809.tif 000038
【図３７】
2008310809.tif 000039
【図３８】
2008310809.tif 000040
【図３９】
2008310809.tif 000041
【図４０】
2008310809.tif 000042
【図４１】
2008310809.tif 000043